(57)【要約】【課題】側方に向かって吹き出される空気の吹き出し方向を、２種類の高さ位置において調整することができる空気調和機の室内機の提供。【解決手段】空気調和機の室内機１０は、室内の壁面に取り付けられる壁掛型の室内機であって、室内機ケーシング１２と、側方吹き出し流路形成部材２５，９５と、上下風向調整羽根３０とを備えている。室内機ケーシング１２には、吹出口１５と、吹出口１５の前方に空気を流す正面吹き出し流路Ｂとが形成されている。側方吹き出し流路形成部材２５，９５は、吹出口１５の側方に空気を流す側方吹き出し流路Ｃ，Ｄを形成する部材である。上下風向調整羽根３０は、吹出口１５の正面側を覆うことが可能である。また、上下風向調整羽根３０は、平面視において、少なくともその一部が側方吹き出し流路形成部材２５，９５と重なるように左右方向に延びている。【選択図】図１４
2011064404.tif 000002
【特許請求の範囲】
【請求項１】
室内の壁面（Ｗ）に取り付けられる壁掛型の室内機であって、
空気が吹き出される吹出口（１５）と、前記吹出口の前方に空気を流す主空気流路（Ｂ）とが形成されているケーシング（１２）と、
前記吹出口の側方に空気を流す副空気流路（Ｃ，Ｄ）を形成する副流路形成部材（２５，９５）と、
前記吹出口の正面側を覆うことが可能であり、平面視において少なくともその一部が前記副流路形成部材と重なるように左右方向に延びる水平羽根（３０）と、
を備える空気調和機の室内機（１０）。
【請求項２】
前記水平羽根は、前記吹出口の前方で、前記吹出口の正面側に位置する開口面に対して平行に配置される姿勢を採ることが可能である、
請求項１に記載の空気調和機の室内機。
【請求項３】
前記吹出口の側面側を覆うことが可能な側方遮蔽部材（２０，９０）を更に備える、
請求項１または２に記載の空気調和機の室内機。
【請求項４】
前記吹出口の正面側が前記水平羽根によって覆われており前記吹出口の側面側が前記側方遮蔽部材によって覆われている場合には、前記水平羽根と前記側方遮蔽部材とは、左右方向に隣接して配置される、
請求項３に記載の空気調和機の室内機。
【請求項５】
前記側方遮蔽部材は、前記吹出口の側面側が開放されている場合には、前記水平羽根と前記副流路形成部材との間に収容される、
請求項３または４に記載の空気調和機の室内機。
【請求項６】
前記副流路形成部材は、前記ケーシングに固定されている、
請求項１から５のいずれかに記載の空気調和機の室内機。
【発明の詳細な説明】
【技術分野】
【０００１】
本発明は、壁掛型の空気調和機の室内機に関する。
【背景技術】
【０００２】
従来より、吹出口近傍に配置される水平羽根を備える壁掛型の空気調和機の室内機がある。また、このような空気調和機の室内機には、水平羽根の姿勢が変化することで、吹出口から吹き出される空気の吹き出し方向を調整することができるものがある。
【０００３】
例えば、特許文献１（特開２００６−２９８４号公報）に記載の空気調和機では、本体（室内機に相当）の正面下部には吹出口が形成されており、本体の側面には吹出口に連通している左右吹出口が形成されている。また、この空気調和機は吹出口を覆うことが可能な上下風向板（水平羽根に相当）を備えており、上下風向板が吹出口を閉塞する位置に配置されることで、左右吹出口から本体の左右側方へ空気が吹き出される。このようにして、この空気調和機では、上下風向板が吹出口を閉塞する姿勢を採ることで、本体から側方に向かう空気の吹き出し方向が調整されている。
【発明の概要】
【発明が解決しようとする課題】
【０００４】
ところで、特許文献１に開示されている空気調和機の室内機では、左右吹出口から吹き出される空気の吹き出し方向が上下風向板のみによって規制されている。このため、本体の側方に向かって吹き出される空気の吹き出し方向は、上下風向板が配置されている高さ位置においてのみ調整されることになる。
【０００５】
そこで、本発明の課題は、側方に向かって吹き出される空気の吹き出し方向を、２種類の高さ位置において調整することができる空気調和機の室内機を提供することにある。
【課題を解決するための手段】
【０００６】
第１発明に係る空気調和機の室内機は、室内の壁面に取り付けられる壁掛型の室内機であって、ケーシングと、副流路形成部材と、水平羽根と、を備えている。ケーシングには、吹出口と、主空気流路とが形成されている。吹出口は、空気が吹き出される開口である。主空気流路は、吹出口の前方に空気を流す流路である。副流路形成部材は、副空気流路を形成する部材である。副空気流路は、吹出口の側方に空気を流す流路である。水平羽根は、吹出口の正面側を覆うことが可能である。また、水平羽根は、平面視において、少なくともその一部が副流路形成部材と重なるように左右方向に延びている。
【０００７】
第１発明に係る空気調和機の室内機では、水平羽根は、平面視において、少なくともその一部が、副流路形成部材と重なるように左右方向に延びている。このため、側方に向かう空気の吹き出し方向として、主空気流路を流れて吹出口の前方に吹き出された空気が水平羽根によって規制されて側方に向かう方向と、副空気流路を流れる空気が吹出口の側方に吹き出されて側方に向かう方向と、を構成することができる。したがって、副流路形成部材の高さ位置および水平羽根の高さ位置において、側方に向かって吹き出される空気の吹き出し方向を調整することができる。
【０００８】
これによって、側方に向かって吹き出される空気の吹き出し方向を、２種類の高さ位置において調整することができる。
【０００９】
第２発明に係る空気調和機の室内機は、第１発明の空気調和機の室内機であって、水平羽根は、吹出口の前方で、吹出口の正面側に位置する開口面に対して平行に配置される姿勢を採ることが可能である。このため、主空気流路を流れて吹出口の前方に吹き出された空気を、側方に向かう方向に規制することができる。したがって、主空気流路および副空気流路を流れる空気を側方に向かって吹き出させることができる。
【００１０】
第３発明に係る空気調和機の室内機は、第１発明または２発明の空気調和機の室内機であって、吹出口の側面側を覆うことが可能な側方遮蔽部材を更に備える。このため、側方遮蔽部材によって吹出口の側面側が覆われている場合には、空気が吹出口から側方に吹き出され難くすることができる。
【００１１】
これによって、必要に応じて側方に空気を吹き出させることができる。
【００１２】
第４発明に係る空気調和機の室内機は、第３発明の空気調和機の室内機であって、吹出口の正面側が水平羽根によって覆われており、吹出口の側面側が側方遮蔽部材によって覆われている場合には、水平羽根と側方遮蔽部材とは、左右方向に隣接して配置される。このため、吹出口の正面側が水平羽根によって覆われており、吹出口の側面側が側方遮蔽部材によって覆われている場合に、水平羽根と側方遮蔽部材との間に目地が目立つおそれを減らすことができる。
【００１３】
第５発明に係る空気調和機の室内機は、第３発明または第４発明の空気調和機の室内機であって、吹出口の側面側が開放されている場合には、側方遮蔽部材は、水平羽根と副流路形成部材との間に収容される。このため、この空気調和機の室内機では、開状態である側方遮蔽部材を収容することができる。
【００１４】
第６発明に係る空気調和機の室内機は、第１発明から第５発明のいずれかの空気調和機の室内機であって、副流路形成部材は、ケーシングに固定されている。このため、側方遮蔽部材の移動によって副空気流路が移動するおそれを減らすことができる。
【発明の効果】
【００１５】
第１発明に係る空気調和機の室内機では、側方に向かって吹き出される空気の吹き出し方向を、２種類の高さ位置において調整することができる。
【００１６】
第２発明に係る空気調和機の室内機では、主空気流路および副空気流路を流れる空気を側方に向かって吹き出させることができる。
【００１７】
第３発明に係る空気調和機の室内機では、必要に応じて側方に空気を吹き出させることができる。
【００１８】
第４発明に係る空気調和機の室内機では、水平羽根と側方遮蔽部材との間に目地が目立つおそれを減らすことができる。
【００１９】
第５発明に係る空気調和機の室内機では、開状態である側方遮蔽部材を収容することができる。
【００２０】
第６発明に係る空気調和機の室内機では、側方遮蔽部材の移動によって副空気流路が移動するおそれを減らすことができる。
【図面の簡単な説明】
【００２１】
【図１】上下風向調整羽根および側方遮蔽部材が閉状態である室内機の斜視図。
【図２】上下風向調整羽根が第２開状態であり、左側方遮蔽部材が閉状態であり、右側方遮蔽部材が開状態である室内機の斜視図。
【図３】上下風向調整羽根が第２開状態である室内機の概略従断面図。
【図４】上下風向調整羽根が第１開状態であって、側方遮蔽部材が開状態である室内機の概略断面図（室内熱交換器は省略）。
【図５】上下風向調整羽根が第２開状態であって、右側方遮蔽部材が閉状態である室内機の断面図であって、右側方遮蔽部材近傍の部分拡大図。
【図６】上下風向調整羽根が第２開状態であって、右側方遮蔽部材が開状態である室内機の断面図であって、右側方遮蔽部材近傍の部分拡大図。
【図７】上下風向調整羽根および右側方遮蔽部材が閉状態である場合の室内機の底面図。
【図８】上下風向調整羽根が第１開状態であって右側方遮蔽部材が開状態である場合の室内機の底面図。
【図９】室内機を底面から視た概念図であって、上下風向調整羽根および側方遮蔽部材と室内機ケーシングとを別々に示す図。
【図１０】室内機を側面から視た第１開状態である上下風向調整羽根の概念図。
【図１１】上下風向調整羽根および取り付け板の外観斜視図。
【図１２】上下風向調整羽根が第２開状態であって、右側方遮蔽部材が閉状態である場合の室内機の斜視図であって、右側方遮蔽部材近傍の部分拡大図。
【図１３】上下風向調整羽根が第２開状態であって、右側方遮蔽部材が開状態である場合の室内機の斜視図であって、右側方遮蔽部材近傍の部分拡大図。
【図１４】上下風向調整羽根が第１開状態であって、右側方遮蔽部材が開状態である場合の室内機の側面図であって、室内機の下部を示す図。
【図１５】右側方遮蔽部材近傍の斜視図（室内機ケーシング前部および側方吹き出し流路形成部材は省略）。
【図１６】空気調和機の備える制御部の制御ブロック図。
【発明を実施するための形態】
【００２２】
以下、図面を参照しながら本発明の実施形態に係る室内機１０を備える空気調和機について説明する。なお、以下の実施形態は、本発明の具体例であって、本発明の技術的範囲を限定するものではない。
【００２３】
＜空気調和機の構成概略＞
図１は、空気調和機の運転停止時であって、上下風向調整羽根３０および側方遮蔽部材２０，９０が閉状態である室内機１０の斜視図である。図２は、上下風向調整羽根３０が第２開状態であり、左側方遮蔽部材９０が閉状態であり、右側方遮蔽部材２０が開状態である室内機１０の斜視図である。図３は、上下風向調整羽根３０が第２開状態である室内機１０の左右方向Ｙ１の概略従断面図である。なお、以下にいう室内機１０の左右方向Ｙ１とは、室内機１０の長手方向に平行な方向のことである（図１参照）。また、室内機１０の前後方向Ｙ２とは、室内機１０の厚さ方向に平行な方向のことである（図１参照）。
【００２４】
空気調和機は、室内の壁面Ｗに取り付けられる室内機１０と、室外に設置される室外機２（図１６参照）とを備えており、冷房運転および暖房運転等の各種運転を実行することができる。
【００２５】
室外機２は、圧縮機３と、圧縮機３の吐出側に接続されている四路切換弁４と、圧縮機３の吸入側に接続されるアキュムレータと、四路切換弁４に接続されている室外熱交換器と、室外熱交換器に接続された室外膨張弁７とを有している（図１６参照）。室外膨張弁７は、冷媒配管を介して後述する室内熱交換器１３の一端と接続される。また、四路切換弁４は、冷媒配管を介して室内熱交換器１３の他端と接続されている。また、室外機２内には、室外ファン９が設けられている。室外ファン９は、室外の空気を取り込み、室外熱交換器での熱交換後の空気を室外機２外部に排出するプロペラファンである。
【００２６】
室内機１０は、上述のように、室内の壁面Ｗ等に取り付けられる壁掛型の室内機１０である。また、室内機１０は、主として、室内機本体１１と、側方吹き出し流路形成部材２５，９５と、上下風向調整羽根３０と、側方遮蔽部材２０，９０と、を備えている。
【００２７】
次に、室内機本体１１、側方吹き出し流路形成部材２５，９５、上下風向調整羽根３０、側方遮蔽部材２０，９０の順に説明する。
【００２８】
＜室内機本体＞
図４は、上下風向調整羽根３０が第１開状態であって、側方遮蔽部材２０，９０が開状態である室内機１０の前後方向Ｙ２の概略断面図である。なお、図４では、室内熱交換器１３を省略して描いている。
【００２９】
室内機本体１１は、主に、室内機ケーシング１２と、室内熱交換器１３と、室内ファン１４と、垂直羽根１９とを備えている。
【００３０】
室内機ケーシング１２は、水平方向に長い略直方形状の部材である。また、室内機ケーシング１２には、室内熱交換器１３、室内ファン１４、および、垂直羽根１９等が収納されている。さらに、室内機ケーシング１２には、取込口１８と、吹出口１５とが形成されている。取込口１８は、室内の空気を室内機ケーシング１２の内側に取り込むための開口であって、室内機ケーシング１２の上部に形成されている。
【００３１】
また、吹出口１５は、室内機本体１１内で調和された空気を吹き出すための開口であって、室内機１０の下部近傍に形成されている。具体的には、吹出口１５は、室内機ケーシング１２の底面および両側面に形成されている。また、室内機ケーシング１２は、吹出口１５を３つの開口に仕切るための仕切部１２ａ，１２ａを有している。仕切部１２ａ，１２ａは、室内機ケーシング１２において、室内機ケーシング１２の外面よりも内側に設けられている（図５参照）。また、仕切部１２ａ，１２ａは、室内機ケーシング１２の底面の両端部近傍にそれぞれ配置されている。このため、吹出口１５には、室内機ケーシング１２の底面に設けられている第１開口１６と、室内機ケーシング１２の底面から左側面にかけて形成されている第２開口１７ａと、室内機ケーシング１２の底面から右側面にかけて形成されている第３開口１７ｂとが含まれる。また、第１開口１６、第２開口１７ａおよび第３開口１７ｂは、室内機１０の左右方向Ｙ１に並んで配置されている。
【００３２】
なお、本実施形態では、吹出口１５の第１開口１６が室内機ケーシング１２の底面に形成されているが、これに限定されず、吹出口の第１開口が室内機ケーシングの前面、すなわち、正面に形成されてもよい。また、吹出口が、室内機ケーシングの底面から両側面にかけて連続して形成されていてもよい。さらに、吹出口が、室内機ケーシングの側面に形成されていなくてもよい。
【００３３】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００３４】
室内ファン１４は、モータ（図示せず）と、モータにより回転駆動される羽根車とを有するクロスフローファンである。また、室内ファン１４は、取込口１８から室内機ケーシング１２内に室内空気を吸入し、室内熱交換器１３を通過させた後に、吹出口１５から室内機ケーシング１２外に調和空気を吹き出す空気流を形成することができるように配置されている。
【００３５】
垂直羽根１９は、駆動モータ（図示せず）と、連結棒（図示せず）と、連結棒によって連結された複数枚の羽根１９ａとを有しており、揺動可能なように室内機ケーシング１２に取り付けられている。また、複数枚の羽根１９ａの面は、駆動モータによって連結棒が駆動されることで、室内機ケーシング１２の長手方向に対して垂直な状態を中心に左右に揺動する。さらに、羽根１９ａは、揺動することにより、または、揺動した後に任意の角度で止まることで、室内機１０の左右方向Ｙ１における調和空気の吹き出し方向を調整する。
【００３６】
また、室内機ケーシング１２は、図３に示すように、案内部１２ｂと、舌部１２ｃとを有している。案内部１２ｂは、室内ファン１４を貫流した調和空気を吹出口１５に案内するために、室内ファン１４の後側に配置されている。また、舌部１２ｃは、室内ファン１４を貫流した調和空気の逆流を防ぐために、室内ファン１４の前側に配置されている。このような構成によって、室内機ケーシング１２内には、取込口１８から取り込まれた室内空気が吹出口１５に至るまでに流れる流路である空気流路が形成されている。また、空気流路には、室内熱交換器１３によって熱交換され室内ファン１４を貫流した調和空気が流れる吹き出し流路Ａが含まれる。
【００３７】
＜側方吹き出し流路形成部材＞
図５は、上下風向調整羽根３０が第２開状態であって、右側方遮蔽部材２０が閉状態である室内機１０の断面図であって、右側方遮蔽部材２０近傍の部分拡大図である。図６は、上下風向調整羽根３０が第２開状態であって、右側方遮蔽部材２０が開状態である室内機１０の断面図であって、右側方遮蔽部材２０近傍の部分拡大図である。
【００３８】
側方吹き出し流路形成部材２５，９５は、側方吹き出し流路Ｃ，Ｄ（副空気流路に相当）を形成している部材の一部である。側方吹き出し流路Ｃ，Ｄは、上述の吹き出し流路Ａの一部であって、第２開口１７ａおよび第３開口１７ｂに調和空気を流すための流路である。なお、具体的には、側方吹き出し流路Ｃ，Ｄは、側方吹き出し流路形成部材２５，９５と室内機ケーシング１２の一部とから形成されている（図４参照）。
【００３９】
また、側方吹き出し流路形成部材９５は、室内機ケーシング１２内であって第２開口１７ａ近傍に配置されており、室内機ケーシング１２に固定されている。側方吹き出し流路形成部材２５は、室内機ケーシング１２内であって第３開口１７ｂ近傍に配置されており、室内機ケーシング１２に固定されている。さらに、側方吹き出し流路形成部材２５，９５の下側には、室内機ケーシング１２の一部である仕切部１２ａ，１２ａが配置されている。このため、吹き出し流路Ａは、その下部において、第１開口１６に調和空気を流すための流路である正面吹き出し流路Ｂ（主空気流路に相当）と、第２開口１７ａまたは第３開口１７ｂに調和空気を流すための流路である側方吹き出し流路Ｃ，Ｄとに分かれている。さらに、正面吹き出し流路Ｂを流れる調和空気は、第１開口１６の前方、すなわち、吹出口１５の前方に向かって流れる。また、側方吹き出し流路Ｃ，Ｄを流れる調和空気は、第２開口１７ａまたは第３開口１７ｂの前方、すなわち、吹出口１５の左右両側方に向かって流れる。
【００４０】
次に、側方吹き出し流路形成部材２５，９５の構成について説明する。なお、側方吹き出し流路形成部材９５は、側方吹き出し流路形成部材２５の構成を左右対称にしたものと同様の構成であるため、ここでは、側方吹き出し流路形成部材２５の構成についてのみ説明を行い、側方吹き出し流路形成部材９５については、側方吹き出し流路形成部材２５について付される２０番台の符号を９０番台に読み替えることによって、説明を省略する。
【００４１】
側方吹き出し流路形成部材２５は、図５および図６に示すように、第１部分２６と、第２部分２７とを有する。第１部分２６は、第３開口１７ｂ近傍から上方に延びている。また、第１部分２６は、右側方遮蔽部材２０に対応可能なように湾曲した形状を有している。さらに、第１部分２６は、第１部分２６の上部が第１部分２６の下部よりも室内機本体１１の中央側に近くなるように傾斜して配置されている。第２部分２７は、所定方向の断面が略Ｌ字形状を呈する部材である。また、第２部分２７は、第１部分２６の上部から連続して形成されており、第１部分２６よりも室内機本体１１の中央側に配置されている。さらに、第２部分２７は、第１部分２６の一部とともに、後述する開状態の右側方遮蔽部材２０の一部を収納するための収納空間Ｓを形成している。
【００４２】
＜上下風向調整羽根＞
図７は、上下風向調整羽根３０および右側方遮蔽部材２０が閉状態である場合の室内機１０の底面図である。図８は、上下風向調整羽根３０が第１開状態であって右側方遮蔽部材２０が開状態である場合の室内機１０の底面図である。図９は、室内機１０を底面から視た概念図であって、上下風向調整羽根３０および側方遮蔽部材２０，９０と室内機ケーシング１２とを別々に示している。図１０は、第１開状態である上下風向調整羽根３０を側面から視た室内機１０の概念図である。図１１は、上下風向調整羽根３０および取り付け板８０の外観斜視図である。なお、図１０では、側方遮蔽部材２０，９０、側方吹き出し流路形成部材２５，９５および第２移動機構２９，９９を省略して描いている。また、以下にいう上下風向調整羽根３０の前側端部とは、上下風向調整羽根３０において、上下風向調整羽根３０が閉状態である場合に室内機１０の前側に近い側の端部を意味している。また、上下風向調整羽根３０の後側端部とは、上下風向調整羽根３０において、上下風向調整羽根３０が閉状態である場合に室内機１０の後側に近い側の端部を意味している。
【００４３】
上下風向調整羽根３０は、吹出口１５の正面側を覆うことが可能な部材であって、室内機１０の下部に配置されている。具体的には、上下風向調整羽根３０は、第１開口１６の略全部を覆うことが可能な板状の部材であって、第１開口１６近傍に配置されている。また、上下風向調整羽根３０は、室内機１０の左右方向Ｙ１に平行な方向である上下風向調整羽根３０の長手方向の寸法が第１開口１６の長手方向の寸法よりも大きくなるように構成されている（図９参照）。さらに、上下風向調整羽根３０は、平面視において、少なくともその一部が側方吹き出し流路形成部材２５，９５と重なるように室内機１０の左右方向Ｙ１に延びている（図７参照）。言い換えると、上下風向調整羽根３０は、平面視において、上下風向調整羽根３０の両端部が側方吹き出し流路形成部材２５，９５と重なるように構成されている（図９参照）。
【００４４】
さらに、上下風向調整羽根３０は、後述する第１移動機構５０と連結する連結部３１，３２，３３，３４，３５を有する。連結部３１，３２，３３，３４，３５は、上下風向調整羽根３０において、上下風向調整羽根３０が吹出口１５を覆っている状態で、室内機１０の外部から視認することができる面とは反対側の面に配置されている。また、連結部３１，３２，３３，３４，３５は、第１連結部３１，３２，３３と、第２連結部３４，３５とを含む。第１連結部３１，３２，３３は、上下風向調整羽根３０の前側端部近傍であって、上下風向調整羽根３０の両端部近傍および上下風向調整羽根３０の長手方向の略中央付近にそれぞれ配置されている（図２および図１０参照）。第２連結部３４，３５は、上下風向調整羽根３０の後側端部近傍であって、上下風向調整羽根３０の長手方向の略中央付近にそれぞれ配置されている（図２および図１０参照）。また、各第２連結部３４，３５は、上下風向調整羽根３０の長手方向に対して平行な方向に並んで配置されている。さらに、第２連結部３４，３５は、上下風向調整羽根３０において、３箇所の第１連結部３１，３２，３３を結ぶ直線上から外れた位置に配置されている。このため、第１連結部３１，３２，３３および第２連結部３４，３５の位置が確定することで、上下風向調整羽根３０の位置および姿勢が確定する。
【００４５】
また、第１連結部３１，３２，３３および第２連結部３４，３５は、それぞれ軸支部を含む。各軸支部は、後述する支持軸４７，５７，６７，７８ａ，７８ｂを回転可能に軸支している。また、各軸支部は、摺動性に優れた部材（高摺動部材）によって構成されており、摩擦を抑えて支持軸４７，５７，６７，７８ａ，７８ｂを滑らかに回転させることができる。
【００４６】
さらに、上下風向調整羽根３０は、４つの状態（閉状態、第１開状態、第２開状態、および、第３開状態）を採ることが可能である。なお、本実施形態における「遮蔽」とは、吹出口１５に含まれる所定開口を覆うことが可能な部材によって、前記所定開口の略全部が覆われている状態を意味しており、本実施形態における「開放」とは、吹出口１５の所定開口を覆うことが可能な部材によって、前記所定開口の略全部が覆われていない状態を意味している。例えば、第１開口１６の略全体が上下風向調整羽根３０によって覆われている状態を第１開口１６が遮蔽されている状態とし、第１開口１６の略全体が上下風向調整羽根３０によって覆われていない状態を第１開口１６が開放されている状態とする。
【００４７】
上下風向調整羽根３０の状態が閉状態の場合、上下風向調整羽根３０は、第１開口１６を覆うように配置される（図１参照）。このため、上下風向調整羽根３０の状態が閉状態の場合には、上下風向調整羽根３０によって第１開口１６が遮蔽される。
【００４８】
上下風向調整羽根３０の状態が第１開状態の場合、上下風向調整羽根３０は、第１開口１６の開口面に対して略平行に対向するように配置される（図１０参照）。このため、開放されている第１開口１６から吹き出された空気は、上下風向調整羽根３０に規制されて、室内機１０の前方および左右両側方に向かって吹き出される。
【００４９】
上下風向調整羽根３０の状態が第２開状態の場合、上下風向調整羽根３０は、第１開口１６の開口面に対して所定角度だけ傾斜するように配置される。具体的には、上下風向調整羽根３０は、上下風向調整羽根３０の後側端部が前側端部よりも第１開口１６に対して近くなるように、前後方向に傾斜して配置される（図２参照）。このため、開放されている第１開口１６から吹き出された空気は、上下風向調整羽根３０に規制されて、室内機１０の前方に向かって吹き出される。
【００５０】
また、上下風向調整羽根３０の状態が第２開状態である場合、上下風向調整羽根３０は、第１開口１６の開口面に対して前後方向に傾斜して配置されている。このため、上下風向調整羽根３０の状態が第２開状態である場合には、上下風向調整羽根３０の状態が第１開状態である場合と比較して、室内機１０の下方に向かう空気流が形成される。このため、以下より、第１開口１６から吹き出されて第２開状態の上下風向調整羽根３０によって規制された空気が向かう方向を前側下方といい、第１開口１６から吹き出された空気のうち第１開状態の上下風向調整羽根３０によって規制されて室内機１０の前方に向かって吹き出される空気が向かう方向を前側下方という。
【００５１】
上下風向調整羽根３０の状態が第３開状態の場合、上下風向調整羽根３０は、第１開口１６の開口面に対して所定角度だけ傾斜するように配置される。具体的には、上下風向調整羽根３０は、上下風向調整羽根３０の前側端部が後側端部よりも第１開口１６に近くなるように、前後方向に傾斜して配置される。このため、開放されている第１開口１６から吹き出された空気は、上下風向調整羽根３０に規制されて、室内機１０の下方に向かって吹き出される。
【００５２】
また、室内機１０は、上下風向調整羽根３０の状態を切り換えるための機構である第１移動機構５０を備えている。
【００５３】
第１移動機構５０は、迫り出し機構４１，５１，６１と、角度調整機構７１ａ，７１ｂと、を有している（図１０および図１１参照）。迫り出し機構４１，５１，６１は、ラック／ピニオン機構であって、上下風向調整羽根３０が第１開口１６近傍から前方に迫り出されるように、上下風向調整羽根３０との連結部分である第１連結部３１，３２，３３を移動させる。具体的には、迫り出し機構４１，５１，６１では、迫り出し機構駆動用モータ５４が駆動することによって、迫り出し機構駆動用モータ５４の有する駆動軸５４ａに連結されている各ピニオン歯車４２，５２，６２が回転される。また、各ピニオン歯車４２，５２，６２が回転されることで、ピニオン歯車４２，５２，６２と噛み合うラック４６，５６，６６に動力が伝達される。ラック４６，５６，６６は移動部材４３，５３，６３の上端部から下端部にかけて設けられているため、各ピニオン歯車４２，５２，６２からラック４６，５６，６６に動力が伝達されることで、ピニオン歯車４２，５２，６２に対する移動部材４３，５３，６３の位置が変化する。このため、移動部材４３，５３，６３の下端部に形成されている支持軸４７，５７，６７の各ピニオン歯車４２，５２，６２に対する位置が移動される。支持軸４７，５７，６７は上下風向調整羽根３０の第１連結部３１，３２，３３の軸支部に挿通しているため、支持軸４７，５７，６７が移動されることで、上下風向調整羽根３０の第１連結部３１，３２，３３が移動される。したがって、上下風向調整羽根３０は、移動部材４３，５３，６３の移動に伴って、第１開口１６の開口面に向かう方向、あるいは、第１開口１６の開口面から遠ざかる方向に移動する。これによって、第１移動機構５０は、上下風向調整羽根３０をスライド移動、すなわち、迫り出し移動させることができる。なお、迫り出し機構駆動用モータ５４の回転量および回転方向は、後述する制御部８４によって制御されている。
【００５４】
また、角度調整機構７１ａ，７１ｂは、上下風向調整羽根３０の第１開口１６の開口面に対する前後方向の傾斜角度が調整されるように、上下風向調整羽根３０との連結部分である第２連結部３４，３５を移動させる。具体的には、角度調整機構７１ａ，７１ｂでは、角度調整機構駆動用モータ７３ａ，７３ｂの駆動によってリンク機構７２ａ，７２ｂが回転することで、上下風向調整羽根３０の第２連結部３４，３５が押し引きされる。より具体的には、角度調整機構駆動用モータ７３ａ，７３ｂが駆動することで、角度調整機構駆動用モータ７３ａ，７３ｂの有する駆動軸７９ａ，７９ｂ近傍に配置されている揺動レバー７４ａ，７４ｂが揺動する。また、揺動レバー７４ａ，７４ｂの揺動に伴って揺動レバー７４ａ，７４ｂに回動可能に連結されているアーム７５ａ，７５ｂが回転する。このため、アーム７５ａ，７５ｂの端部に形成されている支持軸７８ａ，７８ｂの角度調整機構駆動用モータ７３ａ，７３ｂに対する位置が移動される。支持軸７８ａ，７８ｂは上下風向調整羽根３０の第２連結部３４，３５の軸支部と係合しているため、支持軸７８ａ，７８ｂが移動されることで、上下風向調整羽根３０の第２連結部３４，３５が移動される。したがって、上下風向調整羽根３０は、アーム７５ａ，７５ｂの回転に伴って、第１開口１６の開口面に対する前後方向の傾斜角度が変更される。なお、リンク機構７２ａ，７２ｂの回転角度、すなわち、角度調整機構駆動用モータ７３ａ，７３ｂの回転量および回転方向は、後述する制御部８４によって制御されている。
【００５５】
また、第１移動機構５０は、取り付け板８０を有している。取り付け板８０は、第１開口１６の開口面よりも上方に配置されている。また、取り付け板８０の上面には、１つの迫り出し機構駆動用モータ５４および２つの角度調整機構駆動用モータ７３ａ，７３ｂが固定されている。このため、迫り出し機構駆動用モータ５４および角度調整機構駆動用モータ７３ａ，７３ｂは、取り付け板８０とともに、室内機ケーシング１２の内部に収納されている。
【００５６】
＜側方遮蔽部材＞
図１２は、上下風向調整羽根３０が第２開状態であって、右側方遮蔽部材２０が閉状態である場合の室内機１０の斜視図であって、右側方遮蔽部材２０近傍の部分拡大図である。図１３は、上下風向調整羽根３０が第２開状態であって、右側方遮蔽部材２０が開状態である場合の室内機１０の斜視図であって、右側方遮蔽部材２０近傍の部分拡大図である。図１４は、上下風向調整羽根３０が第１開状態であって、右側方遮蔽部材２０が開状態である場合の室内機１０の側面図であって、室内機１０の下部を示す図である。図１５は、右側方遮蔽部材２０近傍の斜視図である。なお、図１４中の一点鎖線は、右側方遮蔽部材２０の回転軸を示している。また、図１５では、室内機ケーシング１２の前部および側方吹き出し流路形成部材２５を省略して描いている。
【００５７】
側方遮蔽部材２０，９０は、吹出口１５の側面側を覆うことが可能な部材であって、室内機１０の左右両側方下部に配置されている。具体的には、側方遮蔽部材２０，９０は、室内機１０の下部の角部に沿った湾曲した形状を呈する部材であって、第２開口１７ａおよび第３開口１７ｂ近傍にそれぞれ配置されている。
【００５８】
次に、側方遮蔽部材２０，９０の構成について説明する。なお、以下より、側方遮蔽部材２０，９０のうち、室内機１０の正面視において、室内機１０の右側下部に配置される側方遮蔽部材２０，９０を右側方遮蔽部材２０といい、室内機１０の左側下部に配置される側方遮蔽部材２０，９０を左側方遮蔽部材９０という。また、左側方遮蔽部材９０は、右側方遮蔽部材２０の構成を左右対称にした構成と同様であるため、ここでは、右側方遮蔽部材２０の構成のみを説明し、左側方遮蔽部材９０の構成については説明を省略する。
【００５９】
右側方遮蔽部材２０は、第１部２１と、第２部２２とを有する。第１部２１には、右側方遮蔽部材２０の第１端部２０ａが含まれる。また、第１部２１は、第３開口１７ｂのうち室内機ケーシング１２の底面に形成されている開口部分を覆うことが可能である。第２部２２には、右側方遮蔽部材２０が閉状態である場合に第１端部２０ａよりも上方に位置する第２端部２０ｂが含まれる。また、第２部２２は、第３開口１７ｂのうち室内機ケーシング１２の側面に形成されている開口部分を覆うことが可能である。
【００６０】
また、側方遮蔽部材２０，９０は、２つの状態（閉状態および開状態）を採ることが可能である。
【００６１】
側方遮蔽部材２０，９０の状態が閉状態である場合、右側方遮蔽部材２０が第３開口１７ｂを覆うように配置され、左側方遮蔽部材９０が第２開口１７ａを覆うように配置される（図１２参照）。このため、上下風向調整羽根３０および側方遮蔽部材２０，９０が閉状態である場合には、吹出口１５が遮蔽される。また、側方遮蔽部材２０，９０は、側方遮蔽部材２０，９０および上下風向調整羽根３０が吹出口１５を遮蔽している状態である場合には、室内機１０の底面視において、側方遮蔽部材２０，９０の第１部２１，９１と上下風向調整羽根３０とが左右方向に概ね連続して配置される（図７および図９参照）。さらに、側方遮蔽部材２０，９０が閉状態である場合には、側方遮蔽部材２０，９０の第２部分（２２；図５参照）と室内機ケーシング１２の側面とが概ね連続して配置される。
【００６２】
側方遮蔽部材２０，９０の状態が開状態である場合、右側方遮蔽部材２０が第３開口１７ｂを開放するように配置され、左側方遮蔽部材９０が第２開口１７ａを開放するように配置される（図８および図１３参照）。また、側方遮蔽部材２０，９０が開状態である場合には、側方遮蔽部材２０，９０の第１部２１，９１が収納空間Ｓに収納される（図６参照）。
【００６３】
なお、本実施形態では、側方遮蔽部材２０，９０が開状態と採る場合には、上下風向調整羽根３０は、第１開状態、第２開状態または第３開状態のいずれかの状態を採るものとする。このため、側方遮蔽部材２０，９０が開状態である場合には、側方遮蔽部材２０，９０は、側方吹き出し流路形成部材２５，９５と上下風向調整羽根３０との間に収容される。
【００６４】
また、室内機１０は、第１移動機構５０とは別の移動機構であって、側方遮蔽部材２０，９０の状態を切り換えるための機構である第２移動機構２９，９９を備えている。また、第２移動機構２９，９９は、側方遮蔽部材２０，９０の状態を閉状態から開状態に切り換える場合には、閉状態である側方遮蔽部材２０，９０を室内機本体１１の左右方向の中央に向かって移動させる。なお、このとき、第２移動機構２９，９９は、側方遮蔽部材２０，９０が上下風向調整羽根３０の上側に配置されるように、側方遮蔽部材２０，９０を移動させる。
【００６５】
次に、第２移動機構２９，９９の構成について説明する。また、第２移動機構２９，９９は、右側方遮蔽部材２０の状態を切り換えるための第２移動機構２９と、左側方遮蔽部材９０の状態を切り換えるための第２移動機構９９とを有する。なお、第２移動機構９９は、第２移動機構２９の構成を左右対称にした構成と同様であるため、ここでは、第２移動機構２９の構成のみを説明し、第２移動機構９９の構成については説明を省略する。
【００６６】
第２移動機構２９は、第２移動機構駆動用モータ２４と、支持部材２３と、バネ部２８とを備えている。第２移動機構駆動用モータ２４は、第２移動機構駆動用モータ２４が駆動することによって回転する駆動軸２４ｂと、駆動軸２４ｂに連動して回転する連動レバー２４ａとを有している。支持部材２３は、前方支持部材２３ａと後方支持部材２３ｂとを有している。前方支持部材２３ａの下端部は、右側方遮蔽部材２０の前側端部に固定されている。また、前方支持部材２３ａの上端部は、室内機ケーシング１２に回転自在に支持されている。後方支持部材２３ｂの下端部は、右側方遮蔽部材２０の後側端部に固定されている。また、後方支持部材２３ｂの上端部は、第２移動機構駆動用モータ２４の有する駆動軸２４ｂに連結されている。バネ部２８は、バネ保持部２８ａとバネ部材２８ｂとを有している。バネ保持部２８ａは、駆動軸２４ｂを中心に回転可能に設けられている。また、バネ保持部２８ａは、その一部が後方支持部材２３ｂと連結している。さらに、バネ保持部２８ａには、係止ピン２８ｃが突設されている。バネ部材２８ｂは、その一端が図１２に示す矢印Ｘ１方向より係止ピン２８ｃに架かっており、係止ピン２８ｃを介してバネ保持部２８ａを図１２に示す矢印Ｘ１方向に付勢している。また、バネ部材２８ｂの他端は、室内機ケーシング１２に固定されている。このため、バネ部材２８ｂは、係止ピン２８ｃを介して図１２に示す矢印Ｘ１方向に後方支持部材２３ｂを常に付勢している。
【００６７】
このような構成によって、第２移動機構２９では、第２移動機構駆動用モータ２４の駆動によって連動レバー２４ａがバネ部材２８ｂの付勢力に抗して係止ピン２８ｃの当接部を押圧して図１２中の矢印Ｘ２方向に回動することで、後方支持部材２３ｂが同方向に回動する。このため、右側方遮蔽部材２０は、室内機１０の前後方向Ｙ２に傾斜して配置されている駆動軸２４ｂを回転軸として、吹出口１５の第３部分１７ｂを開放する方向に移動する。すなわち、第２移動機構駆動用モータ２４は、バネ部材２８ｂによる付勢力に抗して右側方遮蔽部材２０の状態を閉状態から開状態に切り換える。このようにして、右側方遮蔽部材２０の第１部２１が収納空間Ｓに収納される。なお、このとき、右側方遮蔽部材２０において収納空間Ｓに収納されていない部分である第２部２２の一部が、上下風向調整羽根３０が閉状態である場合に位置している第１開口１６の開口部分の一部に配置される。
【００６８】
また、バネ部材２８ｂによって後方支持部材２３ｂが図１５に示す矢印Ｘ１方向に常に付勢されているため、右側方遮蔽部材２０はその状態が常に閉状態となる方向に付勢されている。したがって、第２移動機構２９では、第２移動機構駆動用モータ２４の駆動によって連動レバー２４ａが図１５に示す矢印Ｘ１方向に回動することで、バネ部材２８ｂの付勢力によって係止ピン２８ｃおよび後方支持部材２３ｂが同方向に回動する。これによって、右側方遮蔽部材２０は、駆動軸２４ｂを回転軸として、第３開口１７ｂを遮蔽する方向に移動する。
【００６９】
なお、第２移動機構９９では、第２移動機構駆動用モータ９４の駆動によって、左側方遮蔽部材９０が、バネ部材による付勢力に抗して閉状態から開状態に切り換えられたり、バネ部材の付勢力によって開状態から閉状態に切り換えられたりする。また、第２移動機構駆動用モータ２４，９４の駆動は、後述する制御部８４によって制御されている。
【００７０】
＜制御部＞
図１６は、空気調和機の備える制御部８４の制御ブロック図である。
【００７１】
制御部８４は、図１６に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【００７２】
また、リモートコントローラ８６には、運転停止／開始ボタン、運転切り換えボタン、および、風向設定ボタン８６ａ等の複数のスイッチが設けられている。運転停止／開始ボタンは、空調対象者によって空気調和機の運転が停止されるとき、または、運転が開始されるときに操作されるスイッチである。また、運転切り換えボタンは、空調対象者によって空気調和機の冷房運転または暖房運転等の各種運転モードが設定されるときに操作されるスイッチである。さらに、風向設定ボタン８６ａは、空調対象者によって室内機１０から吹き出される空気の吹き出し方向が設定されるときに操作されるスイッチである。例えば、空調対象者によって風向設定ボタン８６ａが押されると、制御部８４は、空調対象者からの風向設定指令を制御信号として受信する。なお、本実施形態における風向設定指令には、調和空気が室内機１０の側方にも吹き出すように空気の吹き出し方向を設定するための指令である第１指令と、調和空気が空調対象者に直接当たらないように室内機１０の前側上方および側方に吹き出すように空気の吹き出し方向を設定するための指令である第２指令とが含まれる。また、風向設定指令の第１指令は、上下風向調整羽根３０が第２開状態または第３開状態を採っている場合にのみ為される指令とする。また、制御部８４は、空調対象者からの風向設定指令を制御信号として受信した場合には、垂直羽根１９が室内機ケーシング１２の長手方向に対して左右方向に揺動するように、駆動モータを制御する。
【００７３】
さらに、制御部８４は、駆動制御部８５を有する。駆動制御部８５は、迫り出し機構駆動用モータ５４および２つの角度調整機構駆動用モータ７３ａ，７３ｂの回転数と回転方向とを制御することで、迫り出し機構４１，５１，６１および角度調整機構７１ａ，７１ｂを任意のタイミングで駆動させる。これによって、上下風向調整羽根３０の状態を切り換えることができる。また、駆動制御部８５は、第２移動機構駆動用モータ２４，９４の回転数および回転方向を制御することで、第２移動機構２９，９９を任意のタイミングで駆動させる。これによって、側方遮蔽部材２０，９０の状態を切り換えることができる。
【００７４】
なお、駆動制御部８５は、側方遮蔽部材２０，９０を閉状態から開状態に切り換える場合には、側方遮蔽部材２０，９０と上下風向調整羽根３０とが干渉しないように、上下風向調整羽根３０の状態を閉状態から第１開状態、第２開状態、または、第３開状態に切り換えた後に、側方遮蔽部材２０，９０の状態を閉状態から開状態に切り換える。また、駆動制御部８５は、上下風向調整羽根３０の状態を第１開状態、第２開状態、または、第３開状態から閉状態に切り換える場合であって、側方遮蔽部材２０，９０が開状態である場合には、側方遮蔽部材２０，９０と上下風向調整羽根３０とが干渉しないように、側方遮蔽部材２０，９０の状態を開状態から閉状態に切り換えた後に、上下風向調整羽根３０の状態を第１開状態、第２開状態、または、第３開状態から閉状態に切り換える。
【００７５】
また、制御部８４は、受信した風向設定指令に関する制御信号、冷房運転または暖房運転の運転モード設定指令に関する制御信号、および、運転停止指令に関する制御信号を駆動制御部８５に送信する。そして、駆動制御部８５は、制御部８４から送信された制御信号に基づいて、上下風向調整羽根３０および側方遮蔽部材２０，９０の状態を切り換える。
【００７６】
例えば、制御部８４から冷房運転の運転モード設定指令に関する制御信号が送信された場合、駆動制御部８５は、上下風向調整羽根３０の状態が第２開状態となるように第１移動機構５０を駆動させる。
【００７７】
これによって、第１開口１６から吹き出された調和空気は、上下風向調整羽根３０によって規制されて室内機１０の前側下方に吹き出される。
【００７８】
また、例えば、制御部８４から暖房運転の運転モード設定指令に関する制御信号が送信された場合、駆動制御部８５は、上下風向調整羽根３０の状態が第３開状態となるように第１移動機構５０を駆動させる。
【００７９】
これによって、第１開口１６から吹き出された調和空気は、上下風向調整羽根３０によって規制されて室内機１０の下方に吹き出される。
【００８０】
また、例えば、制御部８４から第１指令に関する制御信号が送信された場合、駆動制御部８５は、側方遮蔽部材２０，９０の状態が開状態となるように、第２移動機構２９，９９を駆動させる。
【００８１】
これによって、第２開口１７ａおよび第３開口１７ｂに至った調和空気は、室内機１０の側方に向かって吹き出される。なお、このとき、駆動制御部８５は、第１移動機構５０を駆動させないため、上下風向調整羽根３０の状態は、第２開状態または第３開状態のいずれか一方の状態が維持される。したがって、空調対象者からリモートコントローラ８６を介して第１指令が為された場合、調和空気は、室内機１０の側方と、室内機１０の前方下方または室内機１０の下方とに吹き出される。
【００８２】
また、例えば、制御部８４から第２指令に関する制御信号が送信された場合、駆動制御部８５は、上下風向調整羽根３０の状態が第１開状態となるように第１移動機構５０を駆動させるとともに、側方遮蔽部材２０，９０の状態が開状態となるように第２移動機構２９，９９を駆動させる。
【００８３】
これによって、第１開口１６から吹き出された調和空気は、上下風向調整羽根３０によって規制されて室内機１０の前側上方および左右両側方に吹き出される。また、第２開口１７ａおよび第３開口１７ｂに至った調和空気は、室内機１０の側方に向かって吹き出される。
【００８４】
また、例えば、制御部８４から冷房運転および暖房運転の運転停止指令に関する制御信号が送信された場合、駆動制御部８５は、上下風向調整羽根３０および側方遮蔽部材２０，９０の状態が閉状態となるように第１移動機構５０および／または第２移動機構２９，９９を駆動させる。
【００８５】
これによって、上下風向調整羽根３０および側方遮蔽部材２０，９０によって、吹出口１５が遮蔽される。
【００８６】
＜特徴＞
（１）
上記実施形態では、上下風向調整羽根３０が、室内機１０の平面視において少なくともその一部が側方吹き出し流路形成部材２５，９５と重なるように、室内機１０の左右方向Ｙ１に延びている。このため、室内機１０の側方に向かう空気の吹き出し方向として、正面吹き出し流路Ｂを流れて吹出口１５の前方に吹き出され第１開状態の上下風向調整羽根３０によって規制される方向と、側方吹き出し流路Ｃ，Ｄを流れて吹出口１５の側方に吹き出される方向と、を構成することができる。したがって、室内の床面からの側方吹き出し流路形成部材２５，９５高さ位置、および、室内の床面からの上下風向調整羽根３０の高さ位置において、側方に向かって吹き出される空気の吹き出し方向を調整することができる。
【００８７】
これによって、側方に向かって吹き出される空気の吹き出し方向を、２種類の高さ位置において調整することができている。
【００８８】
また、正面吹き出し流路Ｂを流れる調和空気は、第１開口１６から吹き出された直後に拡散していく。そこで、上記実施形態では、第１開口１６の左右両端部よりも上下風向調整羽根３０の左右両端部が室内機１０の左右方向Ｙ１に延びているため、第１開口１６から吹き出される調和空気が上下風向調整羽根３０によって規制されないおそれを減らすことができる。
【００８９】
これによって、第１開口１６から吹き出される空気の吹き出し方向を調整しやすくすることができている。
【００９０】
（２）
上記実施形態では、側方遮蔽部材２０，９０が閉状態である場合には、第２開口１７ａおよび第３開口１７ｂを遮蔽することができる。このため、第２開口１７ａおよび第３開口１７ｂから側方に調和空気が吹き出されないようにすることができる。
【００９１】
これによって、必要に応じて側方に空気を吹き出させることができている。
【００９２】
（３）
上記実施形態では、仕切部１２ａ，１２ａが、室内機ケーシング１２の外面よりも内側に配置されている。また、側方遮蔽部材２０，９０および上下風向調整羽根３０が吹出口１５を遮蔽している状態である場合には、室内機１０の底面視において、側方遮蔽部材２０，９０の第１部２１，９１と上下風向調整羽根３０とが左右方向に概ね連続して配置される。このため、側方遮蔽部材２０，９０および上下風向調整羽根３０が閉状態を採る場合に、側方遮蔽部材２０，９０と上下風向調整羽根３０との間の目地が目立つおそれを減らすことができる。したがって、室内機１０の外観が損なわれるおそれを減らすことができる。
【００９３】
これによって、室内機１０の意匠性を向上させることができている。
【００９４】
（４）
上記実施形態では、側方遮蔽部材２０，９０が開状態である場合には、側方遮蔽部材２０，９０は、側方吹き出し流路形成部材２５，９５と上下風向調整羽根３０との間に収容される。また、側方遮蔽部材２０，９０が開状態である場合には、側方遮蔽部材２０，９０の第１部２１，９１が収納空間Ｓに収納される。このため、開状態である側方遮蔽部材２０，９０の少なくとも一部を室内機ケーシング１２内に収容することができる。したがって、室内機１０の外郭からの側方遮蔽部材２０，９０の突出を抑えることができる。
【００９５】
これによって、側方遮蔽部材２０，９０が開状態を採る場合でも、室内機１０の外観が損なわれるおそれを減らすことができる。
【００９６】
（５）
上記実施形態では、各側方吹き出し流路形成部材２５，９５は、室内機ケーシング１２に固定されている。このため、側方遮蔽部材２０，９０の状態が切り換わることによって、側方吹き出し流路Ｃ，Ｄが移動しないようにすることができている。
【００９７】
＜変形例＞
上記実施形態では、第２移動機構２９，９９がバネ部材を有しており、側方遮蔽部材２０，９０の状態が、バネ部材による付勢力に抗して閉状態から開状態に切り換えられたり、バネ部材の付勢力によって開状態から閉状態に切り換えられたりしている。
【００９８】
これに代えて、第２移動機構がバネ部材を有しておらず、側方遮蔽部材の状態が、第２移動機構駆動用モータの駆動によって切り換えられてもよい。
【産業上の利用可能性】
【００９９】
本発明は、側方に向かって吹き出される空気の吹き出し方向を２種類の高さ位置において調整することができるため、壁掛型の空気調和機の室内機への適用が有効である。
【符号の説明】
【０１００】
１０      室内機
１２      室内機ケーシング（ケーシング）
１５      吹出口
２０      右側方遮蔽部材／側方遮蔽部材（側方遮蔽部材）
３０      上下風向調整羽根（水平羽根）
９０      左側方遮蔽部材／側方遮蔽部材（側方遮蔽部材）
２５，９５  側方吹き出し流路形成部材（副流路形成部材）
Ｂ      正面吹き出し流路（主空気流路）
Ｃ，Ｄ      側方吹き出し流路（副空気流路）
【先行技術文献】
【特許文献】
【０１０１】
【特許文献１】特開２００６−２９８４号公報
【図１】
2011064404.tif 000003
【図２】
2011064404.tif 000004
【図３】
2011064404.tif 000005
【図４】
2011064404.tif 000006
【図５】
2011064404.tif 000007
【図６】
2011064404.tif 000008
【図７】
2011064404.tif 000009
【図８】
2011064404.tif 000010
【図９】
2011064404.tif 000011
【図１０】
2011064404.tif 000012
【図１１】
2011064404.tif 000013
【図１２】
2011064404.tif 000014
【図１３】
2011064404.tif 000015
【図１４】
2011064404.tif 000016
【図１５】
2011064404.tif 000017
【図１６】
2011064404.tif 000018
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
室内の壁面（Ｗ）に取り付けられる壁掛型の室内機であって、
前方に空気を吹き出すための前方吹出口（１６）と、側方に空気を吹き出すための側方吹出口（１７ａ，１７ｂ）とを含む吹出口（１５）が形成されているケーシング（１２）と、
前記前方吹出口に向かって空気を流す主空気流路（Ｂ）と、
前記側方吹出口に向かって空気を流す副空気流路（Ｃ，Ｄ）と、
前記前方吹出口を覆うことが可能であり、平面視において少なくともその一部が前記副空気流路と重なるように左右方向に延びる水平羽根（３０）と、
を備える空気調和機の室内機（１０）。
【請求項２】
前記副空気流路は、その一部が副空気流路形成部（２５）によって形成されている、
請求項１に記載の空気調和機の室内機。
【請求項３】
前記水平羽根は、前記前方吹出口の前方で、前記前方吹出口に対して平行に配置される姿勢を採ることが可能である、
請求項２に記載の空気調和機の室内機。
【請求項４】
前記側方吹出口を覆うことが可能な側方遮蔽部材（２０，９０）を更に備える、
請求項２または３に記載の空気調和機の室内機。
【請求項５】
前記前方吹出口が前記水平羽根によって覆われており前記側方吹出口が前記側方遮蔽部材によって覆われている場合には、前記水平羽根と前記側方遮蔽部材とは、左右方向に隣接して配置される、
請求項４に記載の空気調和機の室内機。
【請求項６】
前記側方遮蔽部材は、前記側方吹出口が開放されている場合には、前記水平羽根と前記副空気流路形成部との間に収容される、
請求項４または５に記載の空気調和機の室内機。
【請求項７】
前記副空気流路形成部は、前記ケーシングに固定されている、
請求項２から６のいずれかに記載の空気調和機の室内機。
【手続補正２】
【補正対象書類名】明細書
【補正対象項目名】全文
【補正方法】変更
【補正の内容】
【発明の詳細な説明】
【技術分野】
【０００１】
本発明は、壁掛型の空気調和機の室内機に関する。
【背景技術】
【０００２】
従来より、吹出口近傍に配置される水平羽根を備える壁掛型の空気調和機の室内機がある。また、このような空気調和機の室内機には、水平羽根の姿勢が変化することで、吹出口から吹き出される空気の吹き出し方向を調整することができるものがある。
【０００３】
例えば、特許文献１（特開２００６−２９８４号公報）に記載の空気調和機では、本体（室内機に相当）の正面下部には吹出口が形成されており、本体の側面には吹出口に連通している左右吹出口が形成されている。また、この空気調和機は吹出口を覆うことが可能な上下風向板（水平羽根に相当）を備えており、上下風向板が吹出口を閉塞する位置に配置されることで、左右吹出口から本体の左右側方へ空気が吹き出される。このようにして、この空気調和機では、上下風向板が吹出口を閉塞する姿勢を採ることで、本体から側方に向かう空気の吹き出し方向が調整されている。
【発明の概要】
【発明が解決しようとする課題】
【０００４】
ところで、特許文献１に開示されている空気調和機の室内機では、左右吹出口から吹き出される空気の吹き出し方向が上下風向板のみによって規制されている。このため、本体の側方に向かって吹き出される空気の吹き出し方向は、上下風向板が配置されている高さ位置においてのみ調整されることになる。
【０００５】
そこで、本発明の課題は、側方に向かって吹き出される空気の吹き出し方向を、２種類の高さ位置において調整することができる空気調和機の室内機を提供することにある。
【課題を解決するための手段】
【０００６】
第１発明に係る空気調和機の室内機は、室内の壁面に取り付けられる壁掛型の室内機であって、ケーシングと、主空気流路と、副空気流路と、水平羽根と、を備えている。ケーシングには、前方吹出口と側方吹出口とを含む吹出口が形成されている。前方吹出口は、前方に空気を吹き出すための開口である。側方吹出口は、側方に空気を吹き出すための開口である。主空気流路は、前方吹出口に向かって空気を流す流路である。副空気流路は、側方吹出口に向かって空気を流す流路である。水平羽根は、前方吹出口を覆うことが可能である。また、水平羽根は、平面視において、少なくともその一部が副空気流路と重なるように左右方向に延びている。
【０００７】
第１発明に係る空気調和機の室内機では、水平羽根は、平面視において、少なくともその一部が、副空気流路と重なるように左右方向に延びている。このため、側方に向かう空気の吹き出し方向として、前方吹出口の前方に吹き出された空気が水平羽根によって規制されて側方に向かう方向と、副空気流路を流れる空気が側方吹出口から吹き出されて側方に向かう方向と、を構成することができる。したがって、副空気流路の高さ位置および水平羽根の高さ位置において、側方に向かって吹き出される空気の吹き出し方向を調整することができる。
【０００８】
これによって、側方に向かって吹き出される空気の吹き出し方向を、２種類の高さ位置において調整することができる。
【０００９】
第２発明に係る空気調和機の室内機は、第１発明の空気調和機の室内機であって、副空気流路は、その一部が副空気流路形成部によって形成されている。この空気調和機の室内機では、副空気流路の少なくとも一部を副空気流路形成部によって形成することができる。
【００１０】
第３発明に係る空気調和機の室内機は、第２発明の空気調和機の室内機であって、水平羽根は、前方吹出口の前方で、前方吹出口に対して平行に配置される姿勢を採ることが可能である。このため、主空気流路を流れて前方吹出口の前方に吹き出された空気を、側方に向かう方向に規制することができる。したがって、主空気流路および副空気流路を流れる空気を側方に向かって吹き出させることができる。
【００１１】
第４発明に係る空気調和機の室内機は、第２発明または３発明の空気調和機の室内機であって、側方吹出口を覆うことが可能な側方遮蔽部材を更に備える。このため、側方遮蔽部材によって側方吹出口が覆われている場合には、空気が側方吹出口から側方に吹き出され難くすることができる。
【００１２】
これによって、必要に応じて側方に空気を吹き出させることができる。
【００１３】
第５発明に係る空気調和機の室内機は、第４発明の空気調和機の室内機であって、前方吹出口が水平羽根によって覆われており、側方吹出口が側方遮蔽部材によって覆われている場合には、水平羽根と側方遮蔽部材とは、左右方向に隣接して配置される。このため、前方吹出口が水平羽根によって覆われており、側方吹出口が側方遮蔽部材によって覆われている場合に、水平羽根と側方遮蔽部材との間に目地が目立つおそれを減らすことができる。
【００１４】
第６発明に係る空気調和機の室内機は、第４発明または第５発明の空気調和機の室内機であって、側方吹出口が開放されている場合には、側方遮蔽部材は、水平羽根と副空気流路形成部との間に収容される。このため、この空気調和機の室内機では、開状態である側方遮蔽部材を収容することができる。
【００１５】
第７発明に係る空気調和機の室内機は、第２発明から第６発明のいずれかの空気調和機の室内機であって、副空気流路形成部は、ケーシングに固定されている。このため、側方遮蔽部材の移動によって副空気流路が移動するおそれを減らすことができる。
【発明の効果】
【００１６】
第１発明に係る空気調和機の室内機では、側方に向かって吹き出される空気の吹き出し方向を、２種類の高さ位置において調整することができる。
【００１７】
第２発明に係る空気調和機の室内機では、副空気流路の少なくとも一部を副空気流路形成部によって形成することができる。
【００１８】
第３発明に係る空気調和機の室内機では、主空気流路および副空気流路を流れる空気を側方に向かって吹き出させることができる。
【００１９】
第４発明に係る空気調和機の室内機では、必要に応じて側方に空気を吹き出させることができる。
【００２０】
第５発明に係る空気調和機の室内機では、水平羽根と側方遮蔽部材との間に目地が目立つおそれを減らすことができる。
【００２１】
第６発明に係る空気調和機の室内機では、開状態である側方遮蔽部材を収容することができる。
【００２２】
第７発明に係る空気調和機の室内機では、側方遮蔽部材の移動によって副空気流路が移動するおそれを減らすことができる。
【図面の簡単な説明】
【００２３】
【図１】上下風向調整羽根および側方遮蔽部材が閉状態である室内機の斜視図。
【図２】上下風向調整羽根が第２開状態であり、左側方遮蔽部材が閉状態であり、右側方遮蔽部材が開状態である室内機の斜視図。
【図３】上下風向調整羽根が第２開状態である室内機の概略従断面図。
【図４】上下風向調整羽根が第１開状態であって、側方遮蔽部材が開状態である室内機の概略断面図（室内熱交換器は省略）。
【図５】上下風向調整羽根が第２開状態であって、右側方遮蔽部材が閉状態である室内機の断面図であって、右側方遮蔽部材近傍の部分拡大図。
【図６】上下風向調整羽根が第２開状態であって、右側方遮蔽部材が開状態である室内機の断面図であって、右側方遮蔽部材近傍の部分拡大図。
【図７】上下風向調整羽根および右側方遮蔽部材が閉状態である場合の室内機の底面図。
【図８】上下風向調整羽根が第１開状態であって右側方遮蔽部材が開状態である場合の室内機の底面図。
【図９】室内機を底面から視た概念図であって、上下風向調整羽根および側方遮蔽部材と室内機ケーシングとを別々に示す図。
【図１０】室内機を側面から視た第１開状態である上下風向調整羽根の概念図。
【図１１】上下風向調整羽根および取り付け板の外観斜視図。
【図１２】上下風向調整羽根が第２開状態であって、右側方遮蔽部材が閉状態である場合の室内機の斜視図であって、右側方遮蔽部材近傍の部分拡大図。
【図１３】上下風向調整羽根が第２開状態であって、右側方遮蔽部材が開状態である場合の室内機の斜視図であって、右側方遮蔽部材近傍の部分拡大図。
【図１４】上下風向調整羽根が第１開状態であって、右側方遮蔽部材が開状態である場合の室内機の側面図であって、室内機の下部を示す図。
【図１５】右側方遮蔽部材近傍の斜視図（室内機ケーシング前部および側方吹き出し流路形成部材は省略）。
【図１６】空気調和機の備える制御部の制御ブロック図。
【発明を実施するための形態】
【００２４】
以下、図面を参照しながら本発明の実施形態に係る室内機１０を備える空気調和機について説明する。なお、以下の実施形態は、本発明の具体例であって、本発明の技術的範囲を限定するものではない。
【００２５】
＜空気調和機の構成概略＞
図１は、空気調和機の運転停止時であって、上下風向調整羽根３０および側方遮蔽部材２０，９０が閉状態である室内機１０の斜視図である。図２は、上下風向調整羽根３０が第２開状態であり、左側方遮蔽部材９０が閉状態であり、右側方遮蔽部材２０が開状態である室内機１０の斜視図である。図３は、上下風向調整羽根３０が第２開状態である室内機１０の左右方向Ｙ１の概略従断面図である。なお、以下にいう室内機１０の左右方向Ｙ１とは、室内機１０の長手方向に平行な方向のことである（図１参照）。また、室内機１０の前後方向Ｙ２とは、室内機１０の厚さ方向に平行な方向のことである（図１参照）。
【００２６】
空気調和機は、室内の壁面Ｗに取り付けられる室内機１０と、室外に設置される室外機２（図１６参照）とを備えており、冷房運転および暖房運転等の各種運転を実行することができる。
【００２７】
室外機２は、圧縮機３と、圧縮機３の吐出側に接続されている四路切換弁４と、圧縮機３の吸入側に接続されるアキュムレータと、四路切換弁４に接続されている室外熱交換器と、室外熱交換器に接続された室外膨張弁７とを有している（図１６参照）。室外膨張弁７は、冷媒配管を介して後述する室内熱交換器１３の一端と接続される。また、四路切換弁４は、冷媒配管を介して室内熱交換器１３の他端と接続されている。また、室外機２内には、室外ファン９が設けられている。室外ファン９は、室外の空気を取り込み、室外熱交換器での熱交換後の空気を室外機２外部に排出するプロペラファンである。
【００２８】
室内機１０は、上述のように、室内の壁面Ｗ等に取り付けられる壁掛型の室内機１０である。また、室内機１０は、主として、室内機本体１１と、側方吹き出し流路形成部材２５，９５と、上下風向調整羽根３０と、側方遮蔽部材２０，９０と、を備えている。
【００２９】
次に、室内機本体１１、側方吹き出し流路形成部材２５，９５、上下風向調整羽根３０、側方遮蔽部材２０，９０の順に説明する。
【００３０】
＜室内機本体＞
図４は、上下風向調整羽根３０が第１開状態であって、側方遮蔽部材２０，９０が開状態である室内機１０の前後方向Ｙ２の概略断面図である。なお、図４では、室内熱交換器１３を省略して描いている。
【００３１】
室内機本体１１は、主に、室内機ケーシング１２と、室内熱交換器１３と、室内ファン１４と、垂直羽根１９とを備えている。
【００３２】
室内機ケーシング１２は、水平方向に長い略直方形状の部材である。また、室内機ケーシング１２には、室内熱交換器１３、室内ファン１４、および、垂直羽根１９等が収納されている。さらに、室内機ケーシング１２には、取込口１８と、吹出口１５とが形成されている。取込口１８は、室内の空気を室内機ケーシング１２の内側に取り込むための開口であって、室内機ケーシング１２の上部に形成されている。
【００３３】
また、吹出口１５は、室内機本体１１内で調和された空気を吹き出すための開口であって、室内機１０の下部近傍に形成されている。具体的には、吹出口１５は、室内機ケーシング１２の底面および両側面に形成されている。また、室内機ケーシング１２は、吹出口１５を３つの開口に仕切るための仕切部１２ａ，１２ａを有している。仕切部１２ａ，１２ａは、室内機ケーシング１２において、室内機ケーシング１２の外面よりも内側に設けられている（図５参照）。また、仕切部１２ａ，１２ａは、室内機ケーシング１２の底面の両端部近傍にそれぞれ配置されている。このため、吹出口１５には、室内機ケーシング１２の底面に設けられている第１開口１６と、室内機ケーシング１２の底面から左側面にかけて形成されている第２開口１７ａと、室内機ケーシング１２の底面から右側面にかけて形成されている第３開口１７ｂとが含まれる。また、第１開口１６、第２開口１７ａおよび第３開口１７ｂは、室内機１０の左右方向Ｙ１に並んで配置されている。
【００３４】
なお、本実施形態では、吹出口１５の第１開口１６が室内機ケーシング１２の底面に形成されているが、これに限定されず、吹出口の第１開口が室内機ケーシングの前面、すなわち、正面に形成されてもよい。また、吹出口が、室内機ケーシングの底面から両側面にかけて連続して形成されていてもよい。さらに、吹出口が、室内機ケーシングの側面に形成されていなくてもよい。
【００３５】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００３６】
室内ファン１４は、モータ（図示せず）と、モータにより回転駆動される羽根車とを有するクロスフローファンである。また、室内ファン１４は、取込口１８から室内機ケーシング１２内に室内空気を吸入し、室内熱交換器１３を通過させた後に、吹出口１５から室内機ケーシング１２外に調和空気を吹き出す空気流を形成することができるように配置されている。
【００３７】
垂直羽根１９は、駆動モータ（図示せず）と、連結棒（図示せず）と、連結棒によって連結された複数枚の羽根１９ａとを有しており、揺動可能なように室内機ケーシング１２に取り付けられている。また、複数枚の羽根１９ａの面は、駆動モータによって連結棒が駆動されることで、室内機ケーシング１２の長手方向に対して垂直な状態を中心に左右に揺動する。さらに、羽根１９ａは、揺動することにより、または、揺動した後に任意の角度で止まることで、室内機１０の左右方向Ｙ１における調和空気の吹き出し方向を調整する。
【００３８】
また、室内機ケーシング１２は、図３に示すように、案内部１２ｂと、舌部１２ｃとを有している。案内部１２ｂは、室内ファン１４を貫流した調和空気を吹出口１５に案内するために、室内ファン１４の後側に配置されている。また、舌部１２ｃは、室内ファン１４を貫流した調和空気の逆流を防ぐために、室内ファン１４の前側に配置されている。このような構成によって、室内機ケーシング１２内には、取込口１８から取り込まれた室内空気が吹出口１５に至るまでに流れる流路である空気流路が形成されている。また、空気流路には、室内熱交換器１３によって熱交換され室内ファン１４を貫流した調和空気が流れる吹き出し流路Ａが含まれる。
【００３９】
＜側方吹き出し流路形成部材＞
図５は、上下風向調整羽根３０が第２開状態であって、右側方遮蔽部材２０が閉状態である室内機１０の断面図であって、右側方遮蔽部材２０近傍の部分拡大図である。図６は、上下風向調整羽根３０が第２開状態であって、右側方遮蔽部材２０が開状態である室内機１０の断面図であって、右側方遮蔽部材２０近傍の部分拡大図である。
【００４０】
側方吹き出し流路形成部材２５，９５は、側方吹き出し流路Ｃ，Ｄ（副空気流路に相当）を形成している部材の一部である。側方吹き出し流路Ｃ，Ｄは、上述の吹き出し流路Ａの一部であって、第２開口１７ａおよび第３開口１７ｂに調和空気を流すための流路である。なお、具体的には、側方吹き出し流路Ｃ，Ｄは、側方吹き出し流路形成部材２５，９５と室内機ケーシング１２の一部とから形成されている（図４参照）。
【００４１】
また、側方吹き出し流路形成部材９５は、室内機ケーシング１２内であって第２開口１７ａ近傍に配置されており、室内機ケーシング１２に固定されている。側方吹き出し流路形成部材２５は、室内機ケーシング１２内であって第３開口１７ｂ近傍に配置されており、室内機ケーシング１２に固定されている。さらに、側方吹き出し流路形成部材２５，９５の下側には、室内機ケーシング１２の一部である仕切部１２ａ，１２ａが配置されている。このため、吹き出し流路Ａは、その下部において、第１開口１６に調和空気を流すための流路である正面吹き出し流路Ｂ（主空気流路に相当）と、第２開口１７ａまたは第３開口１７ｂに調和空気を流すための流路である側方吹き出し流路Ｃ，Ｄとに分かれている。さらに、正面吹き出し流路Ｂを流れる調和空気は、第１開口１６の前方、すなわち、吹出口１５の前方に向かって流れる。また、側方吹き出し流路Ｃ，Ｄを流れる調和空気は、第２開口１７ａまたは第３開口１７ｂの前方、すなわち、吹出口１５の左右両側方に向かって流れる。
【００４２】
次に、側方吹き出し流路形成部材２５，９５の構成について説明する。なお、側方吹き出し流路形成部材９５は、側方吹き出し流路形成部材２５の構成を左右対称にしたものと同様の構成であるため、ここでは、側方吹き出し流路形成部材２５の構成についてのみ説明を行い、側方吹き出し流路形成部材９５については、側方吹き出し流路形成部材２５について付される２０番台の符号を９０番台に読み替えることによって、説明を省略する。
【００４３】
側方吹き出し流路形成部材２５は、図５および図６に示すように、第１部分２６と、第２部分２７とを有する。第１部分２６は、第３開口１７ｂ近傍から上方に延びている。また、第１部分２６は、右側方遮蔽部材２０に対応可能なように湾曲した形状を有している。さらに、第１部分２６は、第１部分２６の上部が第１部分２６の下部よりも室内機本体１１の中央側に近くなるように傾斜して配置されている。第２部分２７は、所定方向の断面が略Ｌ字形状を呈する部材である。また、第２部分２７は、第１部分２６の上部から連続して形成されており、第１部分２６よりも室内機本体１１の中央側に配置されている。さらに、第２部分２７は、第１部分２６の一部とともに、後述する開状態の右側方遮蔽部材２０の一部を収納するための収納空間Ｓを形成している。
【００４４】
＜上下風向調整羽根＞
図７は、上下風向調整羽根３０および右側方遮蔽部材２０が閉状態である場合の室内機１０の底面図である。図８は、上下風向調整羽根３０が第１開状態であって右側方遮蔽部材２０が開状態である場合の室内機１０の底面図である。図９は、室内機１０を底面から視た概念図であって、上下風向調整羽根３０および側方遮蔽部材２０，９０と室内機ケーシング１２とを別々に示している。図１０は、第１開状態である上下風向調整羽根３０を側面から視た室内機１０の概念図である。図１１は、上下風向調整羽根３０および取り付け板８０の外観斜視図である。なお、図１０では、側方遮蔽部材２０，９０、側方吹き出し流路形成部材２５，９５および第２移動機構２９，９９を省略して描いている。また、以下にいう上下風向調整羽根３０の前側端部とは、上下風向調整羽根３０において、上下風向調整羽根３０が閉状態である場合に室内機１０の前側に近い側の端部を意味している。また、上下風向調整羽根３０の後側端部とは、上下風向調整羽根３０において、上下風向調整羽根３０が閉状態である場合に室内機１０の後側に近い側の端部を意味している。
【００４５】
上下風向調整羽根３０は、吹出口１５の正面側を覆うことが可能な部材であって、室内機１０の下部に配置されている。具体的には、上下風向調整羽根３０は、第１開口１６の略全部を覆うことが可能な板状の部材であって、第１開口１６近傍に配置されている。また、上下風向調整羽根３０は、室内機１０の左右方向Ｙ１に平行な方向である上下風向調整羽根３０の長手方向の寸法が第１開口１６の長手方向の寸法よりも大きくなるように構成されている（図９参照）。さらに、上下風向調整羽根３０は、平面視において、少なくともその一部が側方吹き出し流路形成部材２５，９５と重なるように室内機１０の左右方向Ｙ１に延びている（図７参照）。言い換えると、上下風向調整羽根３０は、平面視において、上下風向調整羽根３０の両端部が側方吹き出し流路形成部材２５，９５と重なるように構成されている（図９参照）。
【００４６】
さらに、上下風向調整羽根３０は、後述する第１移動機構５０と連結する連結部３１，３２，３３，３４，３５を有する。連結部３１，３２，３３，３４，３５は、上下風向調整羽根３０において、上下風向調整羽根３０が吹出口１５を覆っている状態で、室内機１０の外部から視認することができる面とは反対側の面に配置されている。また、連結部３１，３２，３３，３４，３５は、第１連結部３１，３２，３３と、第２連結部３４，３５とを含む。第１連結部３１，３２，３３は、上下風向調整羽根３０の前側端部近傍であって、上下風向調整羽根３０の両端部近傍および上下風向調整羽根３０の長手方向の略中央付近にそれぞれ配置されている（図２および図１０参照）。第２連結部３４，３５は、上下風向調整羽根３０の後側端部近傍であって、上下風向調整羽根３０の長手方向の略中央付近にそれぞれ配置されている（図２および図１０参照）。また、各第２連結部３４，３５は、上下風向調整羽根３０の長手方向に対して平行な方向に並んで配置されている。さらに、第２連結部３４，３５は、上下風向調整羽根３０において、３箇所の第１連結部３１，３２，３３を結ぶ直線上から外れた位置に配置されている。このため、第１連結部３１，３２，３３および第２連結部３４，３５の位置が確定することで、上下風向調整羽根３０の位置および姿勢が確定する。
【００４７】
また、第１連結部３１，３２，３３および第２連結部３４，３５は、それぞれ軸支部を含む。各軸支部は、後述する支持軸４７，５７，６７，７８ａ，７８ｂを回転可能に軸支している。また、各軸支部は、摺動性に優れた部材（高摺動部材）によって構成されており、摩擦を抑えて支持軸４７，５７，６７，７８ａ，７８ｂを滑らかに回転させることができる。
【００４８】
さらに、上下風向調整羽根３０は、４つの状態（閉状態、第１開状態、第２開状態、および、第３開状態）を採ることが可能である。なお、本実施形態における「遮蔽」とは、吹出口１５に含まれる所定開口を覆うことが可能な部材によって、前記所定開口の略全部が覆われている状態を意味しており、本実施形態における「開放」とは、吹出口１５の所定開口を覆うことが可能な部材によって、前記所定開口の略全部が覆われていない状態を意味している。例えば、第１開口１６の略全体が上下風向調整羽根３０によって覆われている状態を第１開口１６が遮蔽されている状態とし、第１開口１６の略全体が上下風向調整羽根３０によって覆われていない状態を第１開口１６が開放されている状態とする。
【００４９】
上下風向調整羽根３０の状態が閉状態の場合、上下風向調整羽根３０は、第１開口１６を覆うように配置される（図１参照）。このため、上下風向調整羽根３０の状態が閉状態の場合には、上下風向調整羽根３０によって第１開口１６が遮蔽される。
【００５０】
上下風向調整羽根３０の状態が第１開状態の場合、上下風向調整羽根３０は、第１開口１６の開口面に対して略平行に対向するように配置される（図１０参照）。このため、開放されている第１開口１６から吹き出された空気は、上下風向調整羽根３０に規制されて、室内機１０の前方および左右両側方に向かって吹き出される。
【００５１】
上下風向調整羽根３０の状態が第２開状態の場合、上下風向調整羽根３０は、第１開口１６の開口面に対して所定角度だけ傾斜するように配置される。具体的には、上下風向調整羽根３０は、上下風向調整羽根３０の後側端部が前側端部よりも第１開口１６に対して近くなるように、前後方向に傾斜して配置される（図２参照）。このため、開放されている第１開口１６から吹き出された空気は、上下風向調整羽根３０に規制されて、室内機１０の前方に向かって吹き出される。
【００５２】
また、上下風向調整羽根３０の状態が第２開状態である場合、上下風向調整羽根３０は、第１開口１６の開口面に対して前後方向に傾斜して配置されている。このため、上下風向調整羽根３０の状態が第２開状態である場合には、上下風向調整羽根３０の状態が第１開状態である場合と比較して、室内機１０の下方に向かう空気流が形成される。このため、以下より、第１開口１６から吹き出されて第２開状態の上下風向調整羽根３０によって規制された空気が向かう方向を前側下方といい、第１開口１６から吹き出された空気のうち第１開状態の上下風向調整羽根３０によって規制されて室内機１０の前方に向かって吹き出される空気が向かう方向を前側下方という。
【００５３】
上下風向調整羽根３０の状態が第３開状態の場合、上下風向調整羽根３０は、第１開口１６の開口面に対して所定角度だけ傾斜するように配置される。具体的には、上下風向調整羽根３０は、上下風向調整羽根３０の前側端部が後側端部よりも第１開口１６に近くなるように、前後方向に傾斜して配置される。このため、開放されている第１開口１６から吹き出された空気は、上下風向調整羽根３０に規制されて、室内機１０の下方に向かって吹き出される。
【００５４】
また、室内機１０は、上下風向調整羽根３０の状態を切り換えるための機構である第１移動機構５０を備えている。
【００５５】
第１移動機構５０は、迫り出し機構４１，５１，６１と、角度調整機構７１ａ，７１ｂと、を有している（図１０および図１１参照）。迫り出し機構４１，５１，６１は、ラック／ピニオン機構であって、上下風向調整羽根３０が第１開口１６近傍から前方に迫り出されるように、上下風向調整羽根３０との連結部分である第１連結部３１，３２，３３を移動させる。具体的には、迫り出し機構４１，５１，６１では、迫り出し機構駆動用モータ５４が駆動することによって、迫り出し機構駆動用モータ５４の有する駆動軸５４ａに連結されている各ピニオン歯車４２，５２，６２が回転される。また、各ピニオン歯車４２，５２，６２が回転されることで、ピニオン歯車４２，５２，６２と噛み合うラック４６，５６，６６に動力が伝達される。ラック４６，５６，６６は移動部材４３，５３，６３の上端部から下端部にかけて設けられているため、各ピニオン歯車４２，５２，６２からラック４６，５６，６６に動力が伝達されることで、ピニオン歯車４２，５２，６２に対する移動部材４３，５３，６３の位置が変化する。このため、移動部材４３，５３，６３の下端部に形成されている支持軸４７，５７，６７の各ピニオン歯車４２，５２，６２に対する位置が移動される。支持軸４７，５７，６７は上下風向調整羽根３０の第１連結部３１，３２，３３の軸支部に挿通しているため、支持軸４７，５７，６７が移動されることで、上下風向調整羽根３０の第１連結部３１，３２，３３が移動される。したがって、上下風向調整羽根３０は、移動部材４３，５３，６３の移動に伴って、第１開口１６の開口面に向かう方向、あるいは、第１開口１６の開口面から遠ざかる方向に移動する。これによって、第１移動機構５０は、上下風向調整羽根３０をスライド移動、すなわち、迫り出し移動させることができる。なお、迫り出し機構駆動用モータ５４の回転量および回転方向は、後述する制御部８４によって制御されている。
【００５６】
また、角度調整機構７１ａ，７１ｂは、上下風向調整羽根３０の第１開口１６の開口面に対する前後方向の傾斜角度が調整されるように、上下風向調整羽根３０との連結部分である第２連結部３４，３５を移動させる。具体的には、角度調整機構７１ａ，７１ｂでは、角度調整機構駆動用モータ７３ａ，７３ｂの駆動によってリンク機構７２ａ，７２ｂが回転することで、上下風向調整羽根３０の第２連結部３４，３５が押し引きされる。より具体的には、角度調整機構駆動用モータ７３ａ，７３ｂが駆動することで、角度調整機構駆動用モータ７３ａ，７３ｂの有する駆動軸７９ａ，７９ｂ近傍に配置されている揺動レバー７４ａ，７４ｂが揺動する。また、揺動レバー７４ａ，７４ｂの揺動に伴って揺動レバー７４ａ，７４ｂに回動可能に連結されているアーム７５ａ，７５ｂが回転する。このため、アーム７５ａ，７５ｂの端部に形成されている支持軸７８ａ，７８ｂの角度調整機構駆動用モータ７３ａ，７３ｂに対する位置が移動される。支持軸７８ａ，７８ｂは上下風向調整羽根３０の第２連結部３４，３５の軸支部と係合しているため、支持軸７８ａ，７８ｂが移動されることで、上下風向調整羽根３０の第２連結部３４，３５が移動される。したがって、上下風向調整羽根３０は、アーム７５ａ，７５ｂの回転に伴って、第１開口１６の開口面に対する前後方向の傾斜角度が変更される。なお、リンク機構７２ａ，７２ｂの回転角度、すなわち、角度調整機構駆動用モータ７３ａ，７３ｂの回転量および回転方向は、後述する制御部８４によって制御されている。
【００５７】
また、第１移動機構５０は、取り付け板８０を有している。取り付け板８０は、第１開口１６の開口面よりも上方に配置されている。また、取り付け板８０の上面には、１つの迫り出し機構駆動用モータ５４および２つの角度調整機構駆動用モータ７３ａ，７３ｂが固定されている。このため、迫り出し機構駆動用モータ５４および角度調整機構駆動用モータ７３ａ，７３ｂは、取り付け板８０とともに、室内機ケーシング１２の内部に収納されている。
【００５８】
＜側方遮蔽部材＞
図１２は、上下風向調整羽根３０が第２開状態であって、右側方遮蔽部材２０が閉状態である場合の室内機１０の斜視図であって、右側方遮蔽部材２０近傍の部分拡大図である。図１３は、上下風向調整羽根３０が第２開状態であって、右側方遮蔽部材２０が開状態である場合の室内機１０の斜視図であって、右側方遮蔽部材２０近傍の部分拡大図である。図１４は、上下風向調整羽根３０が第１開状態であって、右側方遮蔽部材２０が開状態である場合の室内機１０の側面図であって、室内機１０の下部を示す図である。図１５は、右側方遮蔽部材２０近傍の斜視図である。なお、図１４中の一点鎖線は、右側方遮蔽部材２０の回転軸を示している。また、図１５では、室内機ケーシング１２の前部および側方吹き出し流路形成部材２５を省略して描いている。
【００５９】
側方遮蔽部材２０，９０は、吹出口１５の側面側を覆うことが可能な部材であって、室内機１０の左右両側方下部に配置されている。具体的には、側方遮蔽部材２０，９０は、室内機１０の下部の角部に沿った湾曲した形状を呈する部材であって、第２開口１７ａおよび第３開口１７ｂ近傍にそれぞれ配置されている。
【００６０】
次に、側方遮蔽部材２０，９０の構成について説明する。なお、以下より、側方遮蔽部材２０，９０のうち、室内機１０の正面視において、室内機１０の右側下部に配置される側方遮蔽部材２０，９０を右側方遮蔽部材２０といい、室内機１０の左側下部に配置される側方遮蔽部材２０，９０を左側方遮蔽部材９０という。また、左側方遮蔽部材９０は、右側方遮蔽部材２０の構成を左右対称にした構成と同様であるため、ここでは、右側方遮蔽部材２０の構成のみを説明し、左側方遮蔽部材９０の構成については説明を省略する。
【００６１】
右側方遮蔽部材２０は、第１部２１と、第２部２２とを有する。第１部２１には、右側方遮蔽部材２０の第１端部２０ａが含まれる。また、第１部２１は、第３開口１７ｂのうち室内機ケーシング１２の底面に形成されている開口部分を覆うことが可能である。第２部２２には、右側方遮蔽部材２０が閉状態である場合に第１端部２０ａよりも上方に位置する第２端部２０ｂが含まれる。また、第２部２２は、第３開口１７ｂのうち室内機ケーシング１２の側面に形成されている開口部分を覆うことが可能である。
【００６２】
また、側方遮蔽部材２０，９０は、２つの状態（閉状態および開状態）を採ることが可能である。
【００６３】
側方遮蔽部材２０，９０の状態が閉状態である場合、右側方遮蔽部材２０が第３開口１７ｂを覆うように配置され、左側方遮蔽部材９０が第２開口１７ａを覆うように配置される（図１２参照）。このため、上下風向調整羽根３０および側方遮蔽部材２０，９０が閉状態である場合には、吹出口１５が遮蔽される。また、側方遮蔽部材２０，９０は、側方遮蔽部材２０，９０および上下風向調整羽根３０が吹出口１５を遮蔽している状態である場合には、室内機１０の底面視において、側方遮蔽部材２０，９０の第１部２１，９１と上下風向調整羽根３０とが左右方向に概ね連続して配置される（図７および図９参照）。さらに、側方遮蔽部材２０，９０が閉状態である場合には、側方遮蔽部材２０，９０の第２部分（２２；図５参照）と室内機ケーシング１２の側面とが概ね連続して配置される。
【００６４】
側方遮蔽部材２０，９０の状態が開状態である場合、右側方遮蔽部材２０が第３開口１７ｂを開放するように配置され、左側方遮蔽部材９０が第２開口１７ａを開放するように配置される（図８および図１３参照）。また、側方遮蔽部材２０，９０が開状態である場合には、側方遮蔽部材２０，９０の第１部２１，９１が収納空間Ｓに収納される（図６参照）。
【００６５】
なお、本実施形態では、側方遮蔽部材２０，９０が開状態と採る場合には、上下風向調整羽根３０は、第１開状態、第２開状態または第３開状態のいずれかの状態を採るものとする。このため、側方遮蔽部材２０，９０が開状態である場合には、側方遮蔽部材２０，９０は、側方吹き出し流路形成部材２５，９５と上下風向調整羽根３０との間に収容される。
【００６６】
また、室内機１０は、第１移動機構５０とは別の移動機構であって、側方遮蔽部材２０，９０の状態を切り換えるための機構である第２移動機構２９，９９を備えている。また、第２移動機構２９，９９は、側方遮蔽部材２０，９０の状態を閉状態から開状態に切り換える場合には、閉状態である側方遮蔽部材２０，９０を室内機本体１１の左右方向の中央に向かって移動させる。なお、このとき、第２移動機構２９，９９は、側方遮蔽部材２０，９０が上下風向調整羽根３０の上側に配置されるように、側方遮蔽部材２０，９０を移動させる。
【００６７】
次に、第２移動機構２９，９９の構成について説明する。また、第２移動機構２９，９９は、右側方遮蔽部材２０の状態を切り換えるための第２移動機構２９と、左側方遮蔽部材９０の状態を切り換えるための第２移動機構９９とを有する。なお、第２移動機構９９は、第２移動機構２９の構成を左右対称にした構成と同様であるため、ここでは、第２移動機構２９の構成のみを説明し、第２移動機構９９の構成については説明を省略する。
【００６８】
第２移動機構２９は、第２移動機構駆動用モータ２４と、支持部材２３と、バネ部２８とを備えている。第２移動機構駆動用モータ２４は、第２移動機構駆動用モータ２４が駆動することによって回転する駆動軸２４ｂと、駆動軸２４ｂに連動して回転する連動レバー２４ａとを有している。支持部材２３は、前方支持部材２３ａと後方支持部材２３ｂとを有している。前方支持部材２３ａの下端部は、右側方遮蔽部材２０の前側端部に固定されている。また、前方支持部材２３ａの上端部は、室内機ケーシング１２に回転自在に支持されている。後方支持部材２３ｂの下端部は、右側方遮蔽部材２０の後側端部に固定されている。また、後方支持部材２３ｂの上端部は、第２移動機構駆動用モータ２４の有する駆動軸２４ｂに連結されている。バネ部２８は、バネ保持部２８ａとバネ部材２８ｂとを有している。バネ保持部２８ａは、駆動軸２４ｂを中心に回転可能に設けられている。また、バネ保持部２８ａは、その一部が後方支持部材２３ｂと連結している。さらに、バネ保持部２８ａには、係止ピン２８ｃが突設されている。バネ部材２８ｂは、その一端が図１２に示す矢印Ｘ１方向より係止ピン２８ｃに架かっており、係止ピン２８ｃを介してバネ保持部２８ａを図１２に示す矢印Ｘ１方向に付勢している。また、バネ部材２８ｂの他端は、室内機ケーシング１２に固定されている。このため、バネ部材２８ｂは、係止ピン２８ｃを介して図１２に示す矢印Ｘ１方向に後方支持部材２３ｂを常に付勢している。
【００６９】
このような構成によって、第２移動機構２９では、第２移動機構駆動用モータ２４の駆動によって連動レバー２４ａがバネ部材２８ｂの付勢力に抗して係止ピン２８ｃの当接部を押圧して図１２中の矢印Ｘ２方向に回動することで、後方支持部材２３ｂが同方向に回動する。このため、右側方遮蔽部材２０は、室内機１０の前後方向Ｙ２に傾斜して配置されている駆動軸２４ｂを回転軸として、吹出口１５の第３部分１７ｂを開放する方向に移動する。すなわち、第２移動機構駆動用モータ２４は、バネ部材２８ｂによる付勢力に抗して右側方遮蔽部材２０の状態を閉状態から開状態に切り換える。このようにして、右側方遮蔽部材２０の第１部２１が収納空間Ｓに収納される。なお、このとき、右側方遮蔽部材２０において収納空間Ｓに収納されていない部分である第２部２２の一部が、上下風向調整羽根３０が閉状態である場合に位置している第１開口１６の開口部分の一部に配置される。
【００７０】
また、バネ部材２８ｂによって後方支持部材２３ｂが図１５に示す矢印Ｘ１方向に常に付勢されているため、右側方遮蔽部材２０はその状態が常に閉状態となる方向に付勢されている。したがって、第２移動機構２９では、第２移動機構駆動用モータ２４の駆動によって連動レバー２４ａが図１５に示す矢印Ｘ１方向に回動することで、バネ部材２８ｂの付勢力によって係止ピン２８ｃおよび後方支持部材２３ｂが同方向に回動する。これによって、右側方遮蔽部材２０は、駆動軸２４ｂを回転軸として、第３開口１７ｂを遮蔽する方向に移動する。
【００７１】
なお、第２移動機構９９では、第２移動機構駆動用モータ９４の駆動によって、左側方遮蔽部材９０が、バネ部材による付勢力に抗して閉状態から開状態に切り換えられたり、バネ部材の付勢力によって開状態から閉状態に切り換えられたりする。また、第２移動機構駆動用モータ２４，９４の駆動は、後述する制御部８４によって制御されている。
【００７２】
＜制御部＞
図１６は、空気調和機の備える制御部８４の制御ブロック図である。
【００７３】
制御部８４は、図１６に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【００７４】
また、リモートコントローラ８６には、運転停止／開始ボタン、運転切り換えボタン、および、風向設定ボタン８６ａ等の複数のスイッチが設けられている。運転停止／開始ボタンは、空調対象者によって空気調和機の運転が停止されるとき、または、運転が開始されるときに操作されるスイッチである。また、運転切り換えボタンは、空調対象者によって空気調和機の冷房運転または暖房運転等の各種運転モードが設定されるときに操作されるスイッチである。さらに、風向設定ボタン８６ａは、空調対象者によって室内機１０から吹き出される空気の吹き出し方向が設定されるときに操作されるスイッチである。例えば、空調対象者によって風向設定ボタン８６ａが押されると、制御部８４は、空調対象者からの風向設定指令を制御信号として受信する。なお、本実施形態における風向設定指令には、調和空気が室内機１０の側方にも吹き出すように空気の吹き出し方向を設定するための指令である第１指令と、調和空気が空調対象者に直接当たらないように室内機１０の前側上方および側方に吹き出すように空気の吹き出し方向を設定するための指令である第２指令とが含まれる。また、風向設定指令の第１指令は、上下風向調整羽根３０が第２開状態または第３開状態を採っている場合にのみ為される指令とする。また、制御部８４は、空調対象者からの風向設定指令を制御信号として受信した場合には、垂直羽根１９が室内機ケーシング１２の長手方向に対して左右方向に揺動するように、駆動モータを制御する。
【００７５】
さらに、制御部８４は、駆動制御部８５を有する。駆動制御部８５は、迫り出し機構駆動用モータ５４および２つの角度調整機構駆動用モータ７３ａ，７３ｂの回転数と回転方向とを制御することで、迫り出し機構４１，５１，６１および角度調整機構７１ａ，７１ｂを任意のタイミングで駆動させる。これによって、上下風向調整羽根３０の状態を切り換えることができる。また、駆動制御部８５は、第２移動機構駆動用モータ２４，９４の回転数および回転方向を制御することで、第２移動機構２９，９９を任意のタイミングで駆動させる。これによって、側方遮蔽部材２０，９０の状態を切り換えることができる。
【００７６】
なお、駆動制御部８５は、側方遮蔽部材２０，９０を閉状態から開状態に切り換える場合には、側方遮蔽部材２０，９０と上下風向調整羽根３０とが干渉しないように、上下風向調整羽根３０の状態を閉状態から第１開状態、第２開状態、または、第３開状態に切り換えた後に、側方遮蔽部材２０，９０の状態を閉状態から開状態に切り換える。また、駆動制御部８５は、上下風向調整羽根３０の状態を第１開状態、第２開状態、または、第３開状態から閉状態に切り換える場合であって、側方遮蔽部材２０，９０が開状態である場合には、側方遮蔽部材２０，９０と上下風向調整羽根３０とが干渉しないように、側方遮蔽部材２０，９０の状態を開状態から閉状態に切り換えた後に、上下風向調整羽根３０の状態を第１開状態、第２開状態、または、第３開状態から閉状態に切り換える。
【００７７】
また、制御部８４は、受信した風向設定指令に関する制御信号、冷房運転または暖房運転の運転モード設定指令に関する制御信号、および、運転停止指令に関する制御信号を駆動制御部８５に送信する。そして、駆動制御部８５は、制御部８４から送信された制御信号に基づいて、上下風向調整羽根３０および側方遮蔽部材２０，９０の状態を切り換える。
【００７８】
例えば、制御部８４から冷房運転の運転モード設定指令に関する制御信号が送信された場合、駆動制御部８５は、上下風向調整羽根３０の状態が第２開状態となるように第１移動機構５０を駆動させる。
【００７９】
これによって、第１開口１６から吹き出された調和空気は、上下風向調整羽根３０によって規制されて室内機１０の前側下方に吹き出される。
【００８０】
また、例えば、制御部８４から暖房運転の運転モード設定指令に関する制御信号が送信された場合、駆動制御部８５は、上下風向調整羽根３０の状態が第３開状態となるように第１移動機構５０を駆動させる。
【００８１】
これによって、第１開口１６から吹き出された調和空気は、上下風向調整羽根３０によって規制されて室内機１０の下方に吹き出される。
【００８２】
また、例えば、制御部８４から第１指令に関する制御信号が送信された場合、駆動制御部８５は、側方遮蔽部材２０，９０の状態が開状態となるように、第２移動機構２９，９９を駆動させる。
【００８３】
これによって、第２開口１７ａおよび第３開口１７ｂに至った調和空気は、室内機１０の側方に向かって吹き出される。なお、このとき、駆動制御部８５は、第１移動機構５０を駆動させないため、上下風向調整羽根３０の状態は、第２開状態または第３開状態のいずれか一方の状態が維持される。したがって、空調対象者からリモートコントローラ８６を介して第１指令が為された場合、調和空気は、室内機１０の側方と、室内機１０の前方下方または室内機１０の下方とに吹き出される。
【００８４】
また、例えば、制御部８４から第２指令に関する制御信号が送信された場合、駆動制御部８５は、上下風向調整羽根３０の状態が第１開状態となるように第１移動機構５０を駆動させるとともに、側方遮蔽部材２０，９０の状態が開状態となるように第２移動機構２９，９９を駆動させる。
【００８５】
これによって、第１開口１６から吹き出された調和空気は、上下風向調整羽根３０によって規制されて室内機１０の前側上方および左右両側方に吹き出される。また、第２開口１７ａおよび第３開口１７ｂに至った調和空気は、室内機１０の側方に向かって吹き出される。
【００８６】
また、例えば、制御部８４から冷房運転および暖房運転の運転停止指令に関する制御信号が送信された場合、駆動制御部８５は、上下風向調整羽根３０および側方遮蔽部材２０，９０の状態が閉状態となるように第１移動機構５０および／または第２移動機構２９，９９を駆動させる。
【００８７】
これによって、上下風向調整羽根３０および側方遮蔽部材２０，９０によって、吹出口１５が遮蔽される。
【００８８】
＜特徴＞
（１）
上記実施形態では、上下風向調整羽根３０が、室内機１０の平面視において少なくともその一部が側方吹き出し流路形成部材２５，９５と重なるように、室内機１０の左右方向Ｙ１に延びている。このため、室内機１０の側方に向かう空気の吹き出し方向として、正面吹き出し流路Ｂを流れて吹出口１５の前方に吹き出され第１開状態の上下風向調整羽根３０によって規制される方向と、側方吹き出し流路Ｃ，Ｄを流れて吹出口１５の側方に吹き出される方向と、を構成することができる。したがって、室内の床面からの側方吹き出し流路形成部材２５，９５高さ位置、および、室内の床面からの上下風向調整羽根３０の高さ位置において、側方に向かって吹き出される空気の吹き出し方向を調整することができる。
【００８９】
これによって、側方に向かって吹き出される空気の吹き出し方向を、２種類の高さ位置において調整することができている。
【００９０】
また、正面吹き出し流路Ｂを流れる調和空気は、第１開口１６から吹き出された直後に拡散していく。そこで、上記実施形態では、第１開口１６の左右両端部よりも上下風向調整羽根３０の左右両端部が室内機１０の左右方向Ｙ１に延びているため、第１開口１６から吹き出される調和空気が上下風向調整羽根３０によって規制されないおそれを減らすことができる。
【００９１】
これによって、第１開口１６から吹き出される空気の吹き出し方向を調整しやすくすることができている。
【００９２】
（２）
上記実施形態では、側方遮蔽部材２０，９０が閉状態である場合には、第２開口１７ａおよび第３開口１７ｂを遮蔽することができる。このため、第２開口１７ａおよび第３開口１７ｂから側方に調和空気が吹き出されないようにすることができる。
【００９３】
これによって、必要に応じて側方に空気を吹き出させることができている。
【００９４】
（３）
上記実施形態では、仕切部１２ａ，１２ａが、室内機ケーシング１２の外面よりも内側に配置されている。また、側方遮蔽部材２０，９０および上下風向調整羽根３０が吹出口１５を遮蔽している状態である場合には、室内機１０の底面視において、側方遮蔽部材２０，９０の第１部２１，９１と上下風向調整羽根３０とが左右方向に概ね連続して配置される。このため、側方遮蔽部材２０，９０および上下風向調整羽根３０が閉状態を採る場合に、側方遮蔽部材２０，９０と上下風向調整羽根３０との間の目地が目立つおそれを減らすことができる。したがって、室内機１０の外観が損なわれるおそれを減らすことができる。
【００９５】
これによって、室内機１０の意匠性を向上させることができている。
【００９６】
（４）
上記実施形態では、側方遮蔽部材２０，９０が開状態である場合には、側方遮蔽部材２０，９０は、側方吹き出し流路形成部材２５，９５と上下風向調整羽根３０との間に収容される。また、側方遮蔽部材２０，９０が開状態である場合には、側方遮蔽部材２０，９０の第１部２１，９１が収納空間Ｓに収納される。このため、開状態である側方遮蔽部材２０，９０の少なくとも一部を室内機ケーシング１２内に収容することができる。したがって、室内機１０の外郭からの側方遮蔽部材２０，９０の突出を抑えることができる。
【００９７】
これによって、側方遮蔽部材２０，９０が開状態を採る場合でも、室内機１０の外観が損なわれるおそれを減らすことができる。
【００９８】
（５）
上記実施形態では、各側方吹き出し流路形成部材２５，９５は、室内機ケーシング１２に固定されている。このため、側方遮蔽部材２０，９０の状態が切り換わることによって、側方吹き出し流路Ｃ，Ｄが移動しないようにすることができている。
【００９９】
＜変形例＞
上記実施形態では、第２移動機構２９，９９がバネ部材を有しており、側方遮蔽部材２０，９０の状態が、バネ部材による付勢力に抗して閉状態から開状態に切り換えられたり、バネ部材の付勢力によって開状態から閉状態に切り換えられたりしている。
【０１００】
これに代えて、第２移動機構がバネ部材を有しておらず、側方遮蔽部材の状態が、第２移動機構駆動用モータの駆動によって切り換えられてもよい。
【産業上の利用可能性】
【０１０１】
本発明は、側方に向かって吹き出される空気の吹き出し方向を２種類の高さ位置において調整することができるため、壁掛型の空気調和機の室内機への適用が有効である。
【符号の説明】
【０１０２】
１０      室内機
１２      室内機ケーシング（ケーシング）
１５      吹出口
１６      第１開口（前方吹出口）
１７ａ    第２開口（側方吹出口）
１７ｂ    第３開口（側方吹出口）
２０      右側方遮蔽部材／側方遮蔽部材（側方遮蔽部材）
３０      上下風向調整羽根（水平羽根）
９０      左側方遮蔽部材／側方遮蔽部材（側方遮蔽部材）
２５，９５  側方吹き出し流路形成部材（副空気流路形成部）
Ｂ      正面吹き出し流路（主空気流路）
Ｃ，Ｄ      側方吹き出し流路（副空気流路）
【先行技術文献】
【特許文献】
【０１０３】
【特許文献１】特開２００６−２９８４号公報
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
室内の壁面（Ｗ）に取り付けられる壁掛型の室内機であって、
前方に空気を吹き出すための前方吹出口（１６）と、側方に空気を吹き出すための側方吹出口（１７ａ，１７ｂ）とを含む吹出口（１５）が形成されているケーシング（１２）と、
前記前方吹出口に向かって空気を流す主空気流路（Ｂ）と、
前記側方吹出口に向かって空気を流す副空気流路（Ｃ，Ｄ）と、
前記前方吹出口を覆うことが可能であり、平面視において少なくともその一部が前記副空気流路と重なるように左右方向に延びる水平羽根（３０）と、
を備え、
前記副空気流路は、その一部が、前記ケーシングの内側に配置されており前記ケーシングとは別の副空気流路形成部（２５）によって形成されており、
前記水平羽根は、前記前方吹出口の前方で、前記前方吹出口に対して平行に配置される姿勢を採ることが可能である、
空気調和機の室内機（１０）。
【請求項２】
前記側方吹出口を覆うことが可能な側方遮蔽部材（２０，９０）を更に備える、
請求項１に記載の空気調和機の室内機。
【請求項３】
前記前方吹出口が前記水平羽根によって覆われており前記側方吹出口が前記側方遮蔽部材によって覆われている場合には、前記水平羽根と前記側方遮蔽部材とは、左右方向に隣接して配置される、
請求項２に記載の空気調和機の室内機。
【請求項４】
前記側方遮蔽部材は、前記側方吹出口が開放されている場合には、前記水平羽根と前記副空気流路形成部との間に収容される、
請求項２又は３に記載の空気調和機の室内機。
【請求項５】
前記前方吹出口が開放されており、前記側方吹出口が開放されている場合には、前記側方遮蔽部材は、前記水平羽根よりも上方に位置している、
請求項２から４のいずれかに記載の空気調和機の室内機。
【請求項６】
前記副空気流路形成部は、前記主空気流路及び前記副空気流路に向かって流れる空気を流す流路の正面側に配置されている、
請求項１から５のいずれかに記載の空気調和機の室内機。
【請求項７】
前記副空気流路形成部は、前記ケーシングに固定されている、
請求項１から６のいずれかに記載の空気調和機の室内機。
【手続補正２】
【補正対象書類名】明細書
【補正対象項目名】全文
【補正方法】変更
【補正の内容】
【発明の詳細な説明】
【技術分野】
【０００１】
本発明は、壁掛型の空気調和機の室内機に関する。
【背景技術】
【０００２】
従来より、吹出口近傍に配置される水平羽根を備える壁掛型の空気調和機の室内機がある。また、このような空気調和機の室内機には、水平羽根の姿勢が変化することで、吹出口から吹き出される空気の吹き出し方向を調整することができるものがある。
【０００３】
例えば、特許文献１（特開２００６−２９８４号公報）に記載の空気調和機では、本体（室内機に相当）の正面下部には吹出口が形成されており、本体の側面には吹出口に連通している左右吹出口が形成されている。また、この空気調和機は吹出口を覆うことが可能な上下風向板（水平羽根に相当）を備えており、上下風向板が吹出口を閉塞する位置に配置されることで、左右吹出口から本体の左右側方へ空気が吹き出される。このようにして、この空気調和機では、上下風向板が吹出口を閉塞する姿勢を採ることで、本体から側方に向かう空気の吹き出し方向が調整されている。
【発明の概要】
【発明が解決しようとする課題】
【０００４】
ところで、特許文献１に開示されている空気調和機の室内機では、左右吹出口から吹き出される空気の吹き出し方向が上下風向板のみによって規制されている。このため、本体の側方に向かって吹き出される空気の吹き出し方向は、上下風向板が配置されている高さ位置においてのみ調整されることになる。
【０００５】
そこで、本発明の課題は、側方に向かって吹き出される空気の吹き出し方向を、２種類の高さ位置において調整することができる空気調和機の室内機を提供することにある。
【課題を解決するための手段】
【０００６】
第１発明に係る空気調和機の室内機は、室内の壁面に取り付けられる壁掛型の室内機であって、ケーシングと、主空気流路と、副空気流路と、水平羽根と、を備えている。ケーシングには、前方吹出口と側方吹出口とを含む吹出口が形成されている。前方吹出口は、前方に空気を吹き出すための開口である。側方吹出口は、側方に空気を吹き出すための開口である。主空気流路は、前方吹出口に向かって空気を流す流路である。副空気流路は、側方吹出口に向かって空気を流す流路である。水平羽根は、前方吹出口を覆うことが可能である。また、水平羽根は、平面視において、少なくともその一部が副空気流路と重なるように左右方向に延びている。また、副空気流路は、その一部が、ケーシングとは別の副空気流路形成部によって形成されている。副空気流路形成部は、ケーシングの内側に配置されている。さらに、水平羽根は、前方吹出口の前方で、前方吹出口に対して平行に配置される姿勢を採ることが可能である。
【０００７】
第１発明に係る空気調和機の室内機では、水平羽根は、平面視において、少なくともその一部が、副空気流路と重なるように左右方向に延びている。このため、側方に向かう空気の吹き出し方向として、前方吹出口の前方に吹き出された空気が水平羽根によって規制されて側方に向かう方向と、副空気流路を流れる空気が側方吹出口から吹き出されて側方に向かう方向と、を構成することができる。したがって、副空気流路の高さ位置および水平羽根の高さ位置において、側方に向かって吹き出される空気の吹き出し方向を調整することができる。
【０００８】
これによって、側方に向かって吹き出される空気の吹き出し方向を、２種類の高さ位置において調整することができる。
【０００９】
また、この空気調和機の室内機では、副空気流路の少なくとも一部を副空気流路形成部によって形成することができる。
【００１０】
さらに、水平羽根が、前方吹出口の前方で、前方吹出口に対して平行に配置される姿勢を採ることが可能であるため、主空気流路を流れて前方吹出口の前方に吹き出された空気を、側方に向かう方向に規制することができる。したがって、主空気流路および副空気流路を流れる空気を側方に向かって吹き出させることができる。
【００１１】
第２発明に係る空気調和機の室内機は、第１発明の空気調和機の室内機であって、側方吹出口を覆うことが可能な側方遮蔽部材を更に備える。このため、側方遮蔽部材によって側方吹出口が覆われている場合には、空気が側方吹出口から側方に吹き出され難くすることができる。
【００１２】
これによって、必要に応じて側方に空気を吹き出させることができる。
【００１３】
第３発明に係る空気調和機の室内機は、第２発明の空気調和機の室内機であって、前方吹出口が水平羽根によって覆われており、側方吹出口が側方遮蔽部材によって覆われている場合には、水平羽根と側方遮蔽部材とは、左右方向に隣接して配置される。このため、前方吹出口が水平羽根によって覆われており、側方吹出口が側方遮蔽部材によって覆われている場合に、水平羽根と側方遮蔽部材との間に目地が目立つおそれを減らすことができる。
【００１４】
第４発明に係る空気調和機の室内機は、第２発明または第３発明の空気調和機の室内機であって、側方吹出口が開放されている場合には、側方遮蔽部材は、水平羽根と副空気流路形成部との間に収容される。このため、この空気調和機の室内機では、開状態である側方遮蔽部材を収容することができる。
【００１５】
第５発明に係る空気調和機の室内機は、第２発明から第４発明のいずれかの空気調和機の室内機であって、前方吹出口が開放されており、側方吹出口が開放されている場合には、側方遮蔽部材は、水平羽根よりも上方に位置している。この結果、前方吹出口の前方に吹き出され水平羽根によって側方に向かう方向に規制された空気が、側方遮蔽部材と接触しにくくすることができる。
【００１６】
第６発明に係る空気調和機の室内機は、第１発明から第５発明のいずれかの空気調和機の室内機であって、副空気流路形成部は、主空気流路及び副空気流路に向かって流れる空気を流す流路の正面側に配置されている。この空気調和機では、副空気流路形成部を、主空気流路及び副空気流路よりも上流側に位置する流路の正面側に配置することができる。
【００１７】
第７発明に係る空気調和機の室内機は、第１発明から第６発明のいずれかの空気調和機の室内機であって、副空気流路形成部は、ケーシングに固定されている。このため、側方遮蔽部材の移動によって副空気流路が移動するおそれを減らすことができる。
【発明の効果】
【００１８】
第１発明に係る空気調和機の室内機では、側方に向かって吹き出される空気の吹き出し方向を、２種類の高さ位置において調整することができる。
【００１９】
第２発明に係る空気調和機の室内機では、必要に応じて側方に空気を吹き出させることができる。
【００２０】
第３発明に係る空気調和機の室内機では、水平羽根と側方遮蔽部材との間に目地が目立つおそれを減らすことができる。
【００２１】
第４発明に係る空気調和機の室内機では、開状態である側方遮蔽部材を収容することができる。
【００２２】
第５発明に係る空気調和機の室内機では、前方吹出口の前方に吹き出され水平羽根によって側方に向かう方向に規制された空気が、側方遮蔽部材と接触しにくくすることができる。
【００２３】
第６発明に係る空気調和機の室内機では、副空気流路形成部を、主空気流路及び副空気流路よりも上流側に位置する流路の正面側に配置することができる。
【００２４】
第７発明に係る空気調和機の室内機では、側方遮蔽部材の移動によって副空気流路が移動するおそれを減らすことができる。
【図面の簡単な説明】
【００２５】
【図１】上下風向調整羽根および側方遮蔽部材が閉状態である室内機の斜視図。
【図２】上下風向調整羽根が第２開状態であり、左側方遮蔽部材が閉状態であり、右側方遮蔽部材が開状態である室内機の斜視図。
【図３】上下風向調整羽根が第２開状態である室内機の概略従断面図。
【図４】上下風向調整羽根が第１開状態であって、側方遮蔽部材が開状態である室内機の概略断面図（室内熱交換器は省略）。
【図５】上下風向調整羽根が第２開状態であって、右側方遮蔽部材が閉状態である室内機の断面図であって、右側方遮蔽部材近傍の部分拡大図。
【図６】上下風向調整羽根が第２開状態であって、右側方遮蔽部材が開状態である室内機の断面図であって、右側方遮蔽部材近傍の部分拡大図。
【図７】上下風向調整羽根および右側方遮蔽部材が閉状態である場合の室内機の底面図。
【図８】上下風向調整羽根が第１開状態であって右側方遮蔽部材が開状態である場合の室内機の底面図。
【図９】室内機を底面から視た概念図であって、上下風向調整羽根および側方遮蔽部材と室内機ケーシングとを別々に示す図。
【図１０】室内機を側面から視た第１開状態である上下風向調整羽根の概念図。
【図１１】上下風向調整羽根および取り付け板の外観斜視図。
【図１２】上下風向調整羽根が第２開状態であって、右側方遮蔽部材が閉状態である場合の室内機の斜視図であって、右側方遮蔽部材近傍の部分拡大図。
【図１３】上下風向調整羽根が第２開状態であって、右側方遮蔽部材が開状態である場合の室内機の斜視図であって、右側方遮蔽部材近傍の部分拡大図。
【図１４】上下風向調整羽根が第１開状態であって、右側方遮蔽部材が開状態である場合の室内機の側面図であって、室内機の下部を示す図。
【図１５】右側方遮蔽部材近傍の斜視図（室内機ケーシング前部および側方吹き出し流路形成部材は省略）。
【図１６】空気調和機の備える制御部の制御ブロック図。
【発明を実施するための形態】
【００２６】
以下、図面を参照しながら本発明の実施形態に係る室内機１０を備える空気調和機について説明する。なお、以下の実施形態は、本発明の具体例であって、本発明の技術的範囲を限定するものではない。
【００２７】
＜空気調和機の構成概略＞
図１は、空気調和機の運転停止時であって、上下風向調整羽根３０および側方遮蔽部材２０，９０が閉状態である室内機１０の斜視図である。図２は、上下風向調整羽根３０が第２開状態であり、左側方遮蔽部材９０が閉状態であり、右側方遮蔽部材２０が開状態である室内機１０の斜視図である。図３は、上下風向調整羽根３０が第２開状態である室内機１０の左右方向Ｙ１の概略従断面図である。なお、以下にいう室内機１０の左右方向Ｙ１とは、室内機１０の長手方向に平行な方向のことである（図１参照）。また、室内機１０の前後方向Ｙ２とは、室内機１０の厚さ方向に平行な方向のことである（図１参照）。
【００２８】
空気調和機は、室内の壁面Ｗに取り付けられる室内機１０と、室外に設置される室外機２（図１６参照）とを備えており、冷房運転および暖房運転等の各種運転を実行することができる。
【００２９】
室外機２は、圧縮機３と、圧縮機３の吐出側に接続されている四路切換弁４と、圧縮機３の吸入側に接続されるアキュムレータと、四路切換弁４に接続されている室外熱交換器と、室外熱交換器に接続された室外膨張弁７とを有している（図１６参照）。室外膨張弁７は、冷媒配管を介して後述する室内熱交換器１３の一端と接続される。また、四路切換弁４は、冷媒配管を介して室内熱交換器１３の他端と接続されている。また、室外機２内には、室外ファン９が設けられている。室外ファン９は、室外の空気を取り込み、室外熱交換器での熱交換後の空気を室外機２外部に排出するプロペラファンである。
【００３０】
室内機１０は、上述のように、室内の壁面Ｗ等に取り付けられる壁掛型の室内機１０である。また、室内機１０は、主として、室内機本体１１と、側方吹き出し流路形成部材２５，９５と、上下風向調整羽根３０と、側方遮蔽部材２０，９０と、を備えている。
【００３１】
次に、室内機本体１１、側方吹き出し流路形成部材２５，９５、上下風向調整羽根３０、側方遮蔽部材２０，９０の順に説明する。
【００３２】
＜室内機本体＞
図４は、上下風向調整羽根３０が第１開状態であって、側方遮蔽部材２０，９０が開状態である室内機１０の前後方向Ｙ２の概略断面図である。なお、図４では、室内熱交換器１３を省略して描いている。
【００３３】
室内機本体１１は、主に、室内機ケーシング１２と、室内熱交換器１３と、室内ファン１４と、垂直羽根１９とを備えている。
【００３４】
室内機ケーシング１２は、水平方向に長い略直方形状の部材である。また、室内機ケーシング１２には、室内熱交換器１３、室内ファン１４、および、垂直羽根１９等が収納されている。さらに、室内機ケーシング１２には、取込口１８と、吹出口１５とが形成されている。取込口１８は、室内の空気を室内機ケーシング１２の内側に取り込むための開口であって、室内機ケーシング１２の上部に形成されている。
【００３５】
また、吹出口１５は、室内機本体１１内で調和された空気を吹き出すための開口であって、室内機１０の下部近傍に形成されている。具体的には、吹出口１５は、室内機ケーシング１２の底面および両側面に形成されている。また、室内機ケーシング１２は、吹出口１５を３つの開口に仕切るための仕切部１２ａ，１２ａを有している。仕切部１２ａ，１２ａは、室内機ケーシング１２において、室内機ケーシング１２の外面よりも内側に設けられている（図５参照）。また、仕切部１２ａ，１２ａは、室内機ケーシング１２の底面の両端部近傍にそれぞれ配置されている。このため、吹出口１５には、室内機ケーシング１２の底面に設けられている第１開口１６と、室内機ケーシング１２の底面から左側面にかけて形成されている第２開口１７ａと、室内機ケーシング１２の底面から右側面にかけて形成されている第３開口１７ｂとが含まれる。また、第１開口１６、第２開口１７ａおよび第３開口１７ｂは、室内機１０の左右方向Ｙ１に並んで配置されている。
【００３６】
なお、本実施形態では、吹出口１５の第１開口１６が室内機ケーシング１２の底面に形成されているが、これに限定されず、吹出口の第１開口が室内機ケーシングの前面、すなわち、正面に形成されてもよい。また、吹出口が、室内機ケーシングの底面から両側面にかけて連続して形成されていてもよい。さらに、吹出口が、室内機ケーシングの側面に形成されていなくてもよい。
【００３７】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００３８】
室内ファン１４は、モータ（図示せず）と、モータにより回転駆動される羽根車とを有するクロスフローファンである。また、室内ファン１４は、取込口１８から室内機ケーシング１２内に室内空気を吸入し、室内熱交換器１３を通過させた後に、吹出口１５から室内機ケーシング１２外に調和空気を吹き出す空気流を形成することができるように配置されている。
【００３９】
垂直羽根１９は、駆動モータ（図示せず）と、連結棒（図示せず）と、連結棒によって連結された複数枚の羽根１９ａとを有しており、揺動可能なように室内機ケーシング１２に取り付けられている。また、複数枚の羽根１９ａの面は、駆動モータによって連結棒が駆動されることで、室内機ケーシング１２の長手方向に対して垂直な状態を中心に左右に揺動する。さらに、羽根１９ａは、揺動することにより、または、揺動した後に任意の角度で止まることで、室内機１０の左右方向Ｙ１における調和空気の吹き出し方向を調整する。
【００４０】
また、室内機ケーシング１２は、図３に示すように、案内部１２ｂと、舌部１２ｃとを有している。案内部１２ｂは、室内ファン１４を貫流した調和空気を吹出口１５に案内するために、室内ファン１４の後側に配置されている。また、舌部１２ｃは、室内ファン１４を貫流した調和空気の逆流を防ぐために、室内ファン１４の前側に配置されている。このような構成によって、室内機ケーシング１２内には、取込口１８から取り込まれた室内空気が吹出口１５に至るまでに流れる流路である空気流路が形成されている。また、空気流路には、室内熱交換器１３によって熱交換され室内ファン１４を貫流した調和空気が流れる吹き出し流路Ａが含まれる。
【００４１】
＜側方吹き出し流路形成部材＞
図５は、上下風向調整羽根３０が第２開状態であって、右側方遮蔽部材２０が閉状態である室内機１０の断面図であって、右側方遮蔽部材２０近傍の部分拡大図である。図６は、上下風向調整羽根３０が第２開状態であって、右側方遮蔽部材２０が開状態である室内機１０の断面図であって、右側方遮蔽部材２０近傍の部分拡大図である。
【００４２】
側方吹き出し流路形成部材２５，９５は、側方吹き出し流路Ｃ，Ｄ（副空気流路に相当）を形成している部材の一部である。側方吹き出し流路Ｃ，Ｄは、上述の吹き出し流路Ａの一部であって、第２開口１７ａおよび第３開口１７ｂに調和空気を流すための流路である。なお、具体的には、側方吹き出し流路Ｃ，Ｄは、側方吹き出し流路形成部材２５，９５と室内機ケーシング１２の一部とから形成されている（図４参照）。
【００４３】
また、側方吹き出し流路形成部材９５は、室内機ケーシング１２内であって第２開口１７ａ近傍に配置されており、室内機ケーシング１２に固定されている。側方吹き出し流路形成部材２５は、室内機ケーシング１２内であって第３開口１７ｂ近傍に配置されており、室内機ケーシング１２に固定されている。さらに、側方吹き出し流路形成部材２５，９５の下側には、室内機ケーシング１２の一部である仕切部１２ａ，１２ａが配置されている。このため、吹き出し流路Ａは、その下部において、第１開口１６に調和空気を流すための流路である正面吹き出し流路Ｂ（主空気流路に相当）と、第２開口１７ａまたは第３開口１７ｂに調和空気を流すための流路である側方吹き出し流路Ｃ，Ｄとに分かれている。さらに、正面吹き出し流路Ｂを流れる調和空気は、第１開口１６の前方、すなわち、吹出口１５の前方に向かって流れる。また、側方吹き出し流路Ｃ，Ｄを流れる調和空気は、第２開口１７ａまたは第３開口１７ｂの前方、すなわち、吹出口１５の左右両側方に向かって流れる。
【００４４】
次に、側方吹き出し流路形成部材２５，９５の構成について説明する。なお、側方吹き出し流路形成部材９５は、側方吹き出し流路形成部材２５の構成を左右対称にしたものと同様の構成であるため、ここでは、側方吹き出し流路形成部材２５の構成についてのみ説明を行い、側方吹き出し流路形成部材９５については、側方吹き出し流路形成部材２５について付される２０番台の符号を９０番台に読み替えることによって、説明を省略する。
【００４５】
側方吹き出し流路形成部材２５は、図５および図６に示すように、第１部分２６と、第２部分２７とを有する。第１部分２６は、第３開口１７ｂ近傍から上方に延びている。また、第１部分２６は、右側方遮蔽部材２０に対応可能なように湾曲した形状を有している。さらに、第１部分２６は、第１部分２６の上部が第１部分２６の下部よりも室内機本体１１の中央側に近くなるように傾斜して配置されている。第２部分２７は、所定方向の断面が略Ｌ字形状を呈する部材である。また、第２部分２７は、第１部分２６の上部から連続して形成されており、第１部分２６よりも室内機本体１１の中央側に配置されている。さらに、第２部分２７は、第１部分２６の一部とともに、後述する開状態の右側方遮蔽部材２０の一部を収納するための収納空間Ｓを形成している。
【００４６】
＜上下風向調整羽根＞
図７は、上下風向調整羽根３０および右側方遮蔽部材２０が閉状態である場合の室内機１０の底面図である。図８は、上下風向調整羽根３０が第１開状態であって右側方遮蔽部材２０が開状態である場合の室内機１０の底面図である。図９は、室内機１０を底面から視た概念図であって、上下風向調整羽根３０および側方遮蔽部材２０，９０と室内機ケーシング１２とを別々に示している。図１０は、第１開状態である上下風向調整羽根３０を側面から視た室内機１０の概念図である。図１１は、上下風向調整羽根３０および取り付け板８０の外観斜視図である。なお、図１０では、側方遮蔽部材２０，９０、側方吹き出し流路形成部材２５，９５および第２移動機構２９，９９を省略して描いている。また、以下にいう上下風向調整羽根３０の前側端部とは、上下風向調整羽根３０において、上下風向調整羽根３０が閉状態である場合に室内機１０の前側に近い側の端部を意味している。また、上下風向調整羽根３０の後側端部とは、上下風向調整羽根３０において、上下風向調整羽根３０が閉状態である場合に室内機１０の後側に近い側の端部を意味している。
【００４７】
上下風向調整羽根３０は、吹出口１５の正面側を覆うことが可能な部材であって、室内機１０の下部に配置されている。具体的には、上下風向調整羽根３０は、第１開口１６の略全部を覆うことが可能な板状の部材であって、第１開口１６近傍に配置されている。また、上下風向調整羽根３０は、室内機１０の左右方向Ｙ１に平行な方向である上下風向調整羽根３０の長手方向の寸法が第１開口１６の長手方向の寸法よりも大きくなるように構成されている（図９参照）。さらに、上下風向調整羽根３０は、平面視において、少なくともその一部が側方吹き出し流路形成部材２５，９５と重なるように室内機１０の左右方向Ｙ１に延びている（図７参照）。言い換えると、上下風向調整羽根３０は、平面視において、上下風向調整羽根３０の両端部が側方吹き出し流路形成部材２５，９５と重なるように構成されている（図９参照）。
【００４８】
さらに、上下風向調整羽根３０は、後述する第１移動機構５０と連結する連結部３１，３２，３３，３４，３５を有する。連結部３１，３２，３３，３４，３５は、上下風向調整羽根３０において、上下風向調整羽根３０が吹出口１５を覆っている状態で、室内機１０の外部から視認することができる面とは反対側の面に配置されている。また、連結部３１，３２，３３，３４，３５は、第１連結部３１，３２，３３と、第２連結部３４，３５とを含む。第１連結部３１，３２，３３は、上下風向調整羽根３０の前側端部近傍であって、上下風向調整羽根３０の両端部近傍および上下風向調整羽根３０の長手方向の略中央付近にそれぞれ配置されている（図２および図１０参照）。第２連結部３４，３５は、上下風向調整羽根３０の後側端部近傍であって、上下風向調整羽根３０の長手方向の略中央付近にそれぞれ配置されている（図２および図１０参照）。また、各第２連結部３４，３５は、上下風向調整羽根３０の長手方向に対して平行な方向に並んで配置されている。さらに、第２連結部３４，３５は、上下風向調整羽根３０において、３箇所の第１連結部３１，３２，３３を結ぶ直線上から外れた位置に配置されている。このため、第１連結部３１，３２，３３および第２連結部３４，３５の位置が確定することで、上下風向調整羽根３０の位置および姿勢が確定する。
【００４９】
また、第１連結部３１，３２，３３および第２連結部３４，３５は、それぞれ軸支部を含む。各軸支部は、後述する支持軸４７，５７，６７，７８ａ，７８ｂを回転可能に軸支している。また、各軸支部は、摺動性に優れた部材（高摺動部材）によって構成されており、摩擦を抑えて支持軸４７，５７，６７，７８ａ，７８ｂを滑らかに回転させることができる。
【００５０】
さらに、上下風向調整羽根３０は、４つの状態（閉状態、第１開状態、第２開状態、および、第３開状態）を採ることが可能である。なお、本実施形態における「遮蔽」とは、吹出口１５に含まれる所定開口を覆うことが可能な部材によって、前記所定開口の略全部が覆われている状態を意味しており、本実施形態における「開放」とは、吹出口１５の所定開口を覆うことが可能な部材によって、前記所定開口の略全部が覆われていない状態を意味している。例えば、第１開口１６の略全体が上下風向調整羽根３０によって覆われている状態を第１開口１６が遮蔽されている状態とし、第１開口１６の略全体が上下風向調整羽根３０によって覆われていない状態を第１開口１６が開放されている状態とする。
【００５１】
上下風向調整羽根３０の状態が閉状態の場合、上下風向調整羽根３０は、第１開口１６を覆うように配置される（図１参照）。このため、上下風向調整羽根３０の状態が閉状態の場合には、上下風向調整羽根３０によって第１開口１６が遮蔽される。
【００５２】
上下風向調整羽根３０の状態が第１開状態の場合、上下風向調整羽根３０は、第１開口１６の開口面に対して略平行に対向するように配置される（図１０参照）。このため、開放されている第１開口１６から吹き出された空気は、上下風向調整羽根３０に規制されて、室内機１０の前方および左右両側方に向かって吹き出される。
【００５３】
上下風向調整羽根３０の状態が第２開状態の場合、上下風向調整羽根３０は、第１開口１６の開口面に対して所定角度だけ傾斜するように配置される。具体的には、上下風向調整羽根３０は、上下風向調整羽根３０の後側端部が前側端部よりも第１開口１６に対して近くなるように、前後方向に傾斜して配置される（図２参照）。このため、開放されている第１開口１６から吹き出された空気は、上下風向調整羽根３０に規制されて、室内機１０の前方に向かって吹き出される。
【００５４】
また、上下風向調整羽根３０の状態が第２開状態である場合、上下風向調整羽根３０は、第１開口１６の開口面に対して前後方向に傾斜して配置されている。このため、上下風向調整羽根３０の状態が第２開状態である場合には、上下風向調整羽根３０の状態が第１開状態である場合と比較して、室内機１０の下方に向かう空気流が形成される。このため、以下より、第１開口１６から吹き出されて第２開状態の上下風向調整羽根３０によって規制された空気が向かう方向を前側下方といい、第１開口１６から吹き出された空気のうち第１開状態の上下風向調整羽根３０によって規制されて室内機１０の前方に向かって吹き出される空気が向かう方向を前側下方という。
【００５５】
上下風向調整羽根３０の状態が第３開状態の場合、上下風向調整羽根３０は、第１開口１６の開口面に対して所定角度だけ傾斜するように配置される。具体的には、上下風向調整羽根３０は、上下風向調整羽根３０の前側端部が後側端部よりも第１開口１６に近くなるように、前後方向に傾斜して配置される。このため、開放されている第１開口１６から吹き出された空気は、上下風向調整羽根３０に規制されて、室内機１０の下方に向かって吹き出される。
【００５６】
また、室内機１０は、上下風向調整羽根３０の状態を切り換えるための機構である第１移動機構５０を備えている。
【００５７】
第１移動機構５０は、迫り出し機構４１，５１，６１と、角度調整機構７１ａ，７１ｂと、を有している（図１０および図１１参照）。迫り出し機構４１，５１，６１は、ラック／ピニオン機構であって、上下風向調整羽根３０が第１開口１６近傍から前方に迫り出されるように、上下風向調整羽根３０との連結部分である第１連結部３１，３２，３３を移動させる。具体的には、迫り出し機構４１，５１，６１では、迫り出し機構駆動用モータ５４が駆動することによって、迫り出し機構駆動用モータ５４の有する駆動軸５４ａに連結されている各ピニオン歯車４２，５２，６２が回転される。また、各ピニオン歯車４２，５２，６２が回転されることで、ピニオン歯車４２，５２，６２と噛み合うラック４６，５６，６６に動力が伝達される。ラック４６，５６，６６は移動部材４３，５３，６３の上端部から下端部にかけて設けられているため、各ピニオン歯車４２，５２，６２からラック４６，５６，６６に動力が伝達されることで、ピニオン歯車４２，５２，６２に対する移動部材４３，５３，６３の位置が変化する。このため、移動部材４３，５３，６３の下端部に形成されている支持軸４７，５７，６７の各ピニオン歯車４２，５２，６２に対する位置が移動される。支持軸４７，５７，６７は上下風向調整羽根３０の第１連結部３１，３２，３３の軸支部に挿通しているため、支持軸４７，５７，６７が移動されることで、上下風向調整羽根３０の第１連結部３１，３２，３３が移動される。したがって、上下風向調整羽根３０は、移動部材４３，５３，６３の移動に伴って、第１開口１６の開口面に向かう方向、あるいは、第１開口１６の開口面から遠ざかる方向に移動する。これによって、第１移動機構５０は、上下風向調整羽根３０をスライド移動、すなわち、迫り出し移動させることができる。なお、迫り出し機構駆動用モータ５４の回転量および回転方向は、後述する制御部８４によって制御されている。
【００５８】
また、角度調整機構７１ａ，７１ｂは、上下風向調整羽根３０の第１開口１６の開口面に対する前後方向の傾斜角度が調整されるように、上下風向調整羽根３０との連結部分である第２連結部３４，３５を移動させる。具体的には、角度調整機構７１ａ，７１ｂでは、角度調整機構駆動用モータ７３ａ，７３ｂの駆動によってリンク機構７２ａ，７２ｂが回転することで、上下風向調整羽根３０の第２連結部３４，３５が押し引きされる。より具体的には、角度調整機構駆動用モータ７３ａ，７３ｂが駆動することで、角度調整機構駆動用モータ７３ａ，７３ｂの有する駆動軸７９ａ，７９ｂ近傍に配置されている揺動レバー７４ａ，７４ｂが揺動する。また、揺動レバー７４ａ，７４ｂの揺動に伴って揺動レバー７４ａ，７４ｂに回動可能に連結されているアーム７５ａ，７５ｂが回転する。このため、アーム７５ａ，７５ｂの端部に形成されている支持軸７８ａ，７８ｂの角度調整機構駆動用モータ７３ａ，７３ｂに対する位置が移動される。支持軸７８ａ，７８ｂは上下風向調整羽根３０の第２連結部３４，３５の軸支部と係合しているため、支持軸７８ａ，７８ｂが移動されることで、上下風向調整羽根３０の第２連結部３４，３５が移動される。したがって、上下風向調整羽根３０は、アーム７５ａ，７５ｂの回転に伴って、第１開口１６の開口面に対する前後方向の傾斜角度が変更される。なお、リンク機構７２ａ，７２ｂの回転角度、すなわち、角度調整機構駆動用モータ７３ａ，７３ｂの回転量および回転方向は、後述する制御部８４によって制御されている。
【００５９】
また、第１移動機構５０は、取り付け板８０を有している。取り付け板８０は、第１開口１６の開口面よりも上方に配置されている。また、取り付け板８０の上面には、１つの迫り出し機構駆動用モータ５４および２つの角度調整機構駆動用モータ７３ａ，７３ｂが固定されている。このため、迫り出し機構駆動用モータ５４および角度調整機構駆動用モータ７３ａ，７３ｂは、取り付け板８０とともに、室内機ケーシング１２の内部に収納されている。
【００６０】
＜側方遮蔽部材＞
図１２は、上下風向調整羽根３０が第２開状態であって、右側方遮蔽部材２０が閉状態である場合の室内機１０の斜視図であって、右側方遮蔽部材２０近傍の部分拡大図である。図１３は、上下風向調整羽根３０が第２開状態であって、右側方遮蔽部材２０が開状態である場合の室内機１０の斜視図であって、右側方遮蔽部材２０近傍の部分拡大図である。図１４は、上下風向調整羽根３０が第１開状態であって、右側方遮蔽部材２０が開状態である場合の室内機１０の側面図であって、室内機１０の下部を示す図である。図１５は、右側方遮蔽部材２０近傍の斜視図である。なお、図１４中の一点鎖線は、右側方遮蔽部材２０の回転軸を示している。また、図１５では、室内機ケーシング１２の前部および側方吹き出し流路形成部材２５を省略して描いている。
【００６１】
側方遮蔽部材２０，９０は、吹出口１５の側面側を覆うことが可能な部材であって、室内機１０の左右両側方下部に配置されている。具体的には、側方遮蔽部材２０，９０は、室内機１０の下部の角部に沿った湾曲した形状を呈する部材であって、第２開口１７ａおよび第３開口１７ｂ近傍にそれぞれ配置されている。
【００６２】
次に、側方遮蔽部材２０，９０の構成について説明する。なお、以下より、側方遮蔽部材２０，９０のうち、室内機１０の正面視において、室内機１０の右側下部に配置される側方遮蔽部材２０，９０を右側方遮蔽部材２０といい、室内機１０の左側下部に配置される側方遮蔽部材２０，９０を左側方遮蔽部材９０という。また、左側方遮蔽部材９０は、右側方遮蔽部材２０の構成を左右対称にした構成と同様であるため、ここでは、右側方遮蔽部材２０の構成のみを説明し、左側方遮蔽部材９０の構成については説明を省略する。
【００６３】
右側方遮蔽部材２０は、第１部２１と、第２部２２とを有する。第１部２１には、右側方遮蔽部材２０の第１端部２０ａが含まれる。また、第１部２１は、第３開口１７ｂのうち室内機ケーシング１２の底面に形成されている開口部分を覆うことが可能である。第２部２２には、右側方遮蔽部材２０が閉状態である場合に第１端部２０ａよりも上方に位置する第２端部２０ｂが含まれる。また、第２部２２は、第３開口１７ｂのうち室内機ケーシング１２の側面に形成されている開口部分を覆うことが可能である。
【００６４】
また、側方遮蔽部材２０，９０は、２つの状態（閉状態および開状態）を採ることが可能である。
【００６５】
側方遮蔽部材２０，９０の状態が閉状態である場合、右側方遮蔽部材２０が第３開口１７ｂを覆うように配置され、左側方遮蔽部材９０が第２開口１７ａを覆うように配置される（図１２参照）。このため、上下風向調整羽根３０および側方遮蔽部材２０，９０が閉状態である場合には、吹出口１５が遮蔽される。また、側方遮蔽部材２０，９０は、側方遮蔽部材２０，９０および上下風向調整羽根３０が吹出口１５を遮蔽している状態である場合には、室内機１０の底面視において、側方遮蔽部材２０，９０の第１部２１，９１と上下風向調整羽根３０とが左右方向に概ね連続して配置される（図７および図９参照）。さらに、側方遮蔽部材２０，９０が閉状態である場合には、側方遮蔽部材２０，９０の第２部分（２２；図５参照）と室内機ケーシング１２の側面とが概ね連続して配置される。
【００６６】
側方遮蔽部材２０，９０の状態が開状態である場合、右側方遮蔽部材２０が第３開口１７ｂを開放するように配置され、左側方遮蔽部材９０が第２開口１７ａを開放するように配置される（図８および図１３参照）。また、側方遮蔽部材２０，９０が開状態である場合には、側方遮蔽部材２０，９０の第１部２１，９１が収納空間Ｓに収納される（図６参照）。
【００６７】
なお、本実施形態では、側方遮蔽部材２０，９０が開状態と採る場合には、上下風向調整羽根３０は、第１開状態、第２開状態または第３開状態のいずれかの状態を採るものとする。このため、側方遮蔽部材２０，９０が開状態である場合には、側方遮蔽部材２０，９０は、側方吹き出し流路形成部材２５，９５と上下風向調整羽根３０との間に収容される。
【００６８】
また、室内機１０は、第１移動機構５０とは別の移動機構であって、側方遮蔽部材２０，９０の状態を切り換えるための機構である第２移動機構２９，９９を備えている。また、第２移動機構２９，９９は、側方遮蔽部材２０，９０の状態を閉状態から開状態に切り換える場合には、閉状態である側方遮蔽部材２０，９０を室内機本体１１の左右方向の中央に向かって移動させる。なお、このとき、第２移動機構２９，９９は、側方遮蔽部材２０，９０が上下風向調整羽根３０の上側に配置されるように、側方遮蔽部材２０，９０を移動させる。
【００６９】
次に、第２移動機構２９，９９の構成について説明する。また、第２移動機構２９，９９は、右側方遮蔽部材２０の状態を切り換えるための第２移動機構２９と、左側方遮蔽部材９０の状態を切り換えるための第２移動機構９９とを有する。なお、第２移動機構９９は、第２移動機構２９の構成を左右対称にした構成と同様であるため、ここでは、第２移動機構２９の構成のみを説明し、第２移動機構９９の構成については説明を省略する。
【００７０】
第２移動機構２９は、第２移動機構駆動用モータ２４と、支持部材２３と、バネ部２８とを備えている。第２移動機構駆動用モータ２４は、第２移動機構駆動用モータ２４が駆動することによって回転する駆動軸２４ｂと、駆動軸２４ｂに連動して回転する連動レバー２４ａとを有している。支持部材２３は、前方支持部材２３ａと後方支持部材２３ｂとを有している。前方支持部材２３ａの下端部は、右側方遮蔽部材２０の前側端部に固定されている。また、前方支持部材２３ａの上端部は、室内機ケーシング１２に回転自在に支持されている。後方支持部材２３ｂの下端部は、右側方遮蔽部材２０の後側端部に固定されている。また、後方支持部材２３ｂの上端部は、第２移動機構駆動用モータ２４の有する駆動軸２４ｂに連結されている。バネ部２８は、バネ保持部２８ａとバネ部材２８ｂとを有している。バネ保持部２８ａは、駆動軸２４ｂを中心に回転可能に設けられている。また、バネ保持部２８ａは、その一部が後方支持部材２３ｂと連結している。さらに、バネ保持部２８ａには、係止ピン２８ｃが突設されている。バネ部材２８ｂは、その一端が図１２に示す矢印Ｘ１方向より係止ピン２８ｃに架かっており、係止ピン２８ｃを介してバネ保持部２８ａを図１２に示す矢印Ｘ１方向に付勢している。また、バネ部材２８ｂの他端は、室内機ケーシング１２に固定されている。このため、バネ部材２８ｂは、係止ピン２８ｃを介して図１２に示す矢印Ｘ１方向に後方支持部材２３ｂを常に付勢している。
【００７１】
このような構成によって、第２移動機構２９では、第２移動機構駆動用モータ２４の駆動によって連動レバー２４ａがバネ部材２８ｂの付勢力に抗して係止ピン２８ｃの当接部を押圧して図１２中の矢印Ｘ２方向に回動することで、後方支持部材２３ｂが同方向に回動する。このため、右側方遮蔽部材２０は、室内機１０の前後方向Ｙ２に傾斜して配置されている駆動軸２４ｂを回転軸として、吹出口１５の第３部分１７ｂを開放する方向に移動する。すなわち、第２移動機構駆動用モータ２４は、バネ部材２８ｂによる付勢力に抗して右側方遮蔽部材２０の状態を閉状態から開状態に切り換える。このようにして、右側方遮蔽部材２０の第１部２１が収納空間Ｓに収納される。なお、このとき、右側方遮蔽部材２０において収納空間Ｓに収納されていない部分である第２部２２の一部が、上下風向調整羽根３０が閉状態である場合に位置している第１開口１６の開口部分の一部に配置される。
【００７２】
また、バネ部材２８ｂによって後方支持部材２３ｂが図１５に示す矢印Ｘ１方向に常に付勢されているため、右側方遮蔽部材２０はその状態が常に閉状態となる方向に付勢されている。したがって、第２移動機構２９では、第２移動機構駆動用モータ２４の駆動によって連動レバー２４ａが図１５に示す矢印Ｘ１方向に回動することで、バネ部材２８ｂの付勢力によって係止ピン２８ｃおよび後方支持部材２３ｂが同方向に回動する。これによって、右側方遮蔽部材２０は、駆動軸２４ｂを回転軸として、第３開口１７ｂを遮蔽する方向に移動する。
【００７３】
なお、第２移動機構９９では、第２移動機構駆動用モータ９４の駆動によって、左側方遮蔽部材９０が、バネ部材による付勢力に抗して閉状態から開状態に切り換えられたり、バネ部材の付勢力によって開状態から閉状態に切り換えられたりする。また、第２移動機構駆動用モータ２４，９４の駆動は、後述する制御部８４によって制御されている。
【００７４】
＜制御部＞
図１６は、空気調和機の備える制御部８４の制御ブロック図である。
【００７５】
制御部８４は、図１６に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【００７６】
また、リモートコントローラ８６には、運転停止／開始ボタン、運転切り換えボタン、および、風向設定ボタン８６ａ等の複数のスイッチが設けられている。運転停止／開始ボタンは、空調対象者によって空気調和機の運転が停止されるとき、または、運転が開始されるときに操作されるスイッチである。また、運転切り換えボタンは、空調対象者によって空気調和機の冷房運転または暖房運転等の各種運転モードが設定されるときに操作されるスイッチである。さらに、風向設定ボタン８６ａは、空調対象者によって室内機１０から吹き出される空気の吹き出し方向が設定されるときに操作されるスイッチである。例えば、空調対象者によって風向設定ボタン８６ａが押されると、制御部８４は、空調対象者からの風向設定指令を制御信号として受信する。なお、本実施形態における風向設定指令には、調和空気が室内機１０の側方にも吹き出すように空気の吹き出し方向を設定するための指令である第１指令と、調和空気が空調対象者に直接当たらないように室内機１０の前側上方および側方に吹き出すように空気の吹き出し方向を設定するための指令である第２指令とが含まれる。また、風向設定指令の第１指令は、上下風向調整羽根３０が第２開状態または第３開状態を採っている場合にのみ為される指令とする。また、制御部８４は、空調対象者からの風向設定指令を制御信号として受信した場合には、垂直羽根１９が室内機ケーシング１２の長手方向に対して左右方向に揺動するように、駆動モータを制御する。
【００７７】
さらに、制御部８４は、駆動制御部８５を有する。駆動制御部８５は、迫り出し機構駆動用モータ５４および２つの角度調整機構駆動用モータ７３ａ，７３ｂの回転数と回転方向とを制御することで、迫り出し機構４１，５１，６１および角度調整機構７１ａ，７１ｂを任意のタイミングで駆動させる。これによって、上下風向調整羽根３０の状態を切り換えることができる。また、駆動制御部８５は、第２移動機構駆動用モータ２４，９４の回転数および回転方向を制御することで、第２移動機構２９，９９を任意のタイミングで駆動させる。これによって、側方遮蔽部材２０，９０の状態を切り換えることができる。
【００７８】
なお、駆動制御部８５は、側方遮蔽部材２０，９０を閉状態から開状態に切り換える場合には、側方遮蔽部材２０，９０と上下風向調整羽根３０とが干渉しないように、上下風向調整羽根３０の状態を閉状態から第１開状態、第２開状態、または、第３開状態に切り換えた後に、側方遮蔽部材２０，９０の状態を閉状態から開状態に切り換える。また、駆動制御部８５は、上下風向調整羽根３０の状態を第１開状態、第２開状態、または、第３開状態から閉状態に切り換える場合であって、側方遮蔽部材２０，９０が開状態である場合には、側方遮蔽部材２０，９０と上下風向調整羽根３０とが干渉しないように、側方遮蔽部材２０，９０の状態を開状態から閉状態に切り換えた後に、上下風向調整羽根３０の状態を第１開状態、第２開状態、または、第３開状態から閉状態に切り換える。
【００７９】
また、制御部８４は、受信した風向設定指令に関する制御信号、冷房運転または暖房運転の運転モード設定指令に関する制御信号、および、運転停止指令に関する制御信号を駆動制御部８５に送信する。そして、駆動制御部８５は、制御部８４から送信された制御信号に基づいて、上下風向調整羽根３０および側方遮蔽部材２０，９０の状態を切り換える。
【００８０】
例えば、制御部８４から冷房運転の運転モード設定指令に関する制御信号が送信された場合、駆動制御部８５は、上下風向調整羽根３０の状態が第２開状態となるように第１移動機構５０を駆動させる。
【００８１】
これによって、第１開口１６から吹き出された調和空気は、上下風向調整羽根３０によって規制されて室内機１０の前側下方に吹き出される。
【００８２】
また、例えば、制御部８４から暖房運転の運転モード設定指令に関する制御信号が送信された場合、駆動制御部８５は、上下風向調整羽根３０の状態が第３開状態となるように第１移動機構５０を駆動させる。
【００８３】
これによって、第１開口１６から吹き出された調和空気は、上下風向調整羽根３０によって規制されて室内機１０の下方に吹き出される。
【００８４】
また、例えば、制御部８４から第１指令に関する制御信号が送信された場合、駆動制御部８５は、側方遮蔽部材２０，９０の状態が開状態となるように、第２移動機構２９，９９を駆動させる。
【００８５】
これによって、第２開口１７ａおよび第３開口１７ｂに至った調和空気は、室内機１０の側方に向かって吹き出される。なお、このとき、駆動制御部８５は、第１移動機構５０を駆動させないため、上下風向調整羽根３０の状態は、第２開状態または第３開状態のいずれか一方の状態が維持される。したがって、空調対象者からリモートコントローラ８６を介して第１指令が為された場合、調和空気は、室内機１０の側方と、室内機１０の前方下方または室内機１０の下方とに吹き出される。
【００８６】
また、例えば、制御部８４から第２指令に関する制御信号が送信された場合、駆動制御部８５は、上下風向調整羽根３０の状態が第１開状態となるように第１移動機構５０を駆動させるとともに、側方遮蔽部材２０，９０の状態が開状態となるように第２移動機構２９，９９を駆動させる。
【００８７】
これによって、第１開口１６から吹き出された調和空気は、上下風向調整羽根３０によって規制されて室内機１０の前側上方および左右両側方に吹き出される。また、第２開口１７ａおよび第３開口１７ｂに至った調和空気は、室内機１０の側方に向かって吹き出される。
【００８８】
また、例えば、制御部８４から冷房運転および暖房運転の運転停止指令に関する制御信号が送信された場合、駆動制御部８５は、上下風向調整羽根３０および側方遮蔽部材２０，９０の状態が閉状態となるように第１移動機構５０および／または第２移動機構２９，９９を駆動させる。
【００８９】
これによって、上下風向調整羽根３０および側方遮蔽部材２０，９０によって、吹出口１５が遮蔽される。
【００９０】
＜特徴＞
（１）
上記実施形態では、上下風向調整羽根３０が、室内機１０の平面視において少なくともその一部が側方吹き出し流路形成部材２５，９５と重なるように、室内機１０の左右方向Ｙ１に延びている。このため、室内機１０の側方に向かう空気の吹き出し方向として、正面吹き出し流路Ｂを流れて吹出口１５の前方に吹き出され第１開状態の上下風向調整羽根３０によって規制される方向と、側方吹き出し流路Ｃ，Ｄを流れて吹出口１５の側方に吹き出される方向と、を構成することができる。したがって、室内の床面からの側方吹き出し流路形成部材２５，９５高さ位置、および、室内の床面からの上下風向調整羽根３０の高さ位置において、側方に向かって吹き出される空気の吹き出し方向を調整することができる。
【００９１】
これによって、側方に向かって吹き出される空気の吹き出し方向を、２種類の高さ位置において調整することができている。
【００９２】
また、正面吹き出し流路Ｂを流れる調和空気は、第１開口１６から吹き出された直後に拡散していく。そこで、上記実施形態では、第１開口１６の左右両端部よりも上下風向調整羽根３０の左右両端部が室内機１０の左右方向Ｙ１に延びているため、第１開口１６から吹き出される調和空気が上下風向調整羽根３０によって規制されないおそれを減らすことができる。
【００９３】
これによって、第１開口１６から吹き出される空気の吹き出し方向を調整しやすくすることができている。
【００９４】
（２）
上記実施形態では、側方遮蔽部材２０，９０が閉状態である場合には、第２開口１７ａおよび第３開口１７ｂを遮蔽することができる。このため、第２開口１７ａおよび第３開口１７ｂから側方に調和空気が吹き出されないようにすることができる。
【００９５】
これによって、必要に応じて側方に空気を吹き出させることができている。
【００９６】
（３）
上記実施形態では、仕切部１２ａ，１２ａが、室内機ケーシング１２の外面よりも内側に配置されている。また、側方遮蔽部材２０，９０および上下風向調整羽根３０が吹出口１５を遮蔽している状態である場合には、室内機１０の底面視において、側方遮蔽部材２０，９０の第１部２１，９１と上下風向調整羽根３０とが左右方向に概ね連続して配置される。このため、側方遮蔽部材２０，９０および上下風向調整羽根３０が閉状態を採る場合に、側方遮蔽部材２０，９０と上下風向調整羽根３０との間の目地が目立つおそれを減らすことができる。したがって、室内機１０の外観が損なわれるおそれを減らすことができる。
【００９７】
これによって、室内機１０の意匠性を向上させることができている。
【００９８】
（４）
上記実施形態では、側方遮蔽部材２０，９０が開状態である場合には、側方遮蔽部材２０，９０は、側方吹き出し流路形成部材２５，９５と上下風向調整羽根３０との間に収容される。また、側方遮蔽部材２０，９０が開状態である場合には、側方遮蔽部材２０，９０の第１部２１，９１が収納空間Ｓに収納される。このため、開状態である側方遮蔽部材２０，９０の少なくとも一部を室内機ケーシング１２内に収容することができる。したがって、室内機１０の外郭からの側方遮蔽部材２０，９０の突出を抑えることができる。
【００９９】
これによって、側方遮蔽部材２０，９０が開状態を採る場合でも、室内機１０の外観が損なわれるおそれを減らすことができる。
【０１００】
（５）
上記実施形態では、各側方吹き出し流路形成部材２５，９５は、室内機ケーシング１２に固定されている。このため、側方遮蔽部材２０，９０の状態が切り換わることによって、側方吹き出し流路Ｃ，Ｄが移動しないようにすることができている。
【０１０１】
＜変形例＞
上記実施形態では、第２移動機構２９，９９がバネ部材を有しており、側方遮蔽部材２０，９０の状態が、バネ部材による付勢力に抗して閉状態から開状態に切り換えられたり、バネ部材の付勢力によって開状態から閉状態に切り換えられたりしている。
【０１０２】
これに代えて、第２移動機構がバネ部材を有しておらず、側方遮蔽部材の状態が、第２移動機構駆動用モータの駆動によって切り換えられてもよい。
【産業上の利用可能性】
【０１０３】
本発明は、側方に向かって吹き出される空気の吹き出し方向を２種類の高さ位置において調整することができるため、壁掛型の空気調和機の室内機への適用が有効である。
【符号の説明】
【０１０４】
１０      室内機
１２      室内機ケーシング（ケーシング）
１５      吹出口
１６      第１開口（前方吹出口）
１７ａ    第２開口（側方吹出口）
１７ｂ    第３開口（側方吹出口）
２０      右側方遮蔽部材／側方遮蔽部材（側方遮蔽部材）
３０      上下風向調整羽根（水平羽根）
９０      左側方遮蔽部材／側方遮蔽部材（側方遮蔽部材）
２５，９５  側方吹き出し流路形成部材（副空気流路形成部）
Ｂ      正面吹き出し流路（主空気流路）
Ｃ，Ｄ      側方吹き出し流路（副空気流路）
【先行技術文献】
【特許文献】
【０１０５】
【特許文献１】特開２００６−２９８４号公報